(57)【要約】【課題】電子アルバム作成等のインターネットを利用した写真業者等が提供する新たなビジネスが展開されている。しかし、インターネットを介したビジネスでは、写真業者等と顧客の関係が一過性のものになりやすく、顧客との長期的な関係を築くことが困難である。【解決手段】写真等のデータを蓄積するネットワーク上の蓄積システムにおいて、システム・ユーザである顧客が写真を介して第三者とのコミュニケーションを図れるため、当該システムの使用により長期的なビジネス関係構築が可能となる。【選択図】図２６
2013050943.tif 000002
【特許請求の範囲】
【請求項１】
写真等データを蓄積するデータ蓄積システムであって、
複数の顧客のコンピュータに対して相互にデータ通信可能であり、且つ、管理者および上記複数の顧客が写真等データをアップロード可能な蓄積手段と、
当該システムにログインする上記顧客を認証し、認証情報を管理する顧客認証管理手段と、
上記管理者が上記蓄積手段にアップロードした写真等データに対して、上記複数の顧客の内のどの顧客が閲覧可能で、さらに、どの顧客が編集可能であるかに関する設定を上記管理者の指示に応じて行い、当該設定の保存を行うアクセス権設定手段と、
上記顧客が上記蓄積手段にアップロード可能な顧客情報を蓄積する顧客情報管理手段と、
上記蓄積手段に蓄積されている写真等データであって、上記顧客がアクセス権を有し且つ当該顧客が指定するデータに関する情報を当該データ蓄積システムにより閲覧可能であることを、指定した日時に指定した相手に送信する設定を行う日時指定送信手段と、
を有し、
上記アクセス権設定手段は、上記顧客が上記蓄積手段にアップロードした写真等データそれぞれに対して、上記管理者または上記複数の顧客の内のどの顧客が閲覧可能で、さらに、上記管理者または上記複数の顧客の内のどの顧客が編集可能であるかに関する設定を上記顧客の指示に応じて行い、当該設定の保存を行うものである
ことを特徴とするデータ蓄積システム。
【請求項２】
上記日時指定送信手段は、一群の顧客の各々が指定するデータに関する情報をひとつのまとまった情報群として、当該データ蓄積システムにより閲覧可能であることを指定した日時に指定した相手に送信する設定を行い、且つ、上記一群の顧客の各々がデータを指定する期間、および上記一群の顧客の各々が上記ひとつのまとまった情報群を閲覧できる期間を制限する
ことを特徴とする請求項１に記載のデータ蓄積システム。
【請求項３】
上記日時指定送信手段は、上記指定した相手が当該データ蓄積システムの上記顧客である場合、上記顧客情報管理手段に蓄積されている顧客情報を用いて、上記指定した相手に送信する手段を決定する
ことを特徴とする請求項１または２に記載のデータ蓄積システム。
【請求項４】
上記日時指定送信手段は、上記指定した相手に、上記顧客が指定するデータに関する情報を当該データ蓄積システムにより閲覧可能であることに加えて、当該データ蓄積システムにログインするための情報を送信する
ことを特徴とする請求項１から３のいずれかに記載のデータ蓄積システム。
【請求項５】
写真等データを蓄積するデータ蓄積システムであって、
複数の顧客のコンピュータに対して相互にデータ通信可能であり、且つ、管理者および上記複数の顧客が写真等データをアップロード可能な蓄積手段と、
当該システムにログインする上記顧客を認証し、認証情報を管理する顧客認証管理手段と、
上記管理者が上記蓄積手段にアップロードした写真等データに対して、上記複数の顧客の内のどの顧客が閲覧可能で、さらに、どの顧客が編集可能であるかに関する設定を上記管理者の指示に応じて行い、当該設定の保存を行うアクセス権設定手段と、
上記顧客が上記蓄積手段にアップロード可能な顧客情報を蓄積する顧客情報管理手段と、
上記管理者が試着用衣類等データを上記蓄積手段にアップロード可能であり、上記顧客が上記試着用衣類等データを自己が編集可能な写真または動画に試着させ、当該試着させた写真または動画を閲覧および上記蓄積手段へアップロードを可能とする試着手段と、
を有し、
上記アクセス権設定手段は、上記顧客が上記蓄積手段にアップロードした写真等データそれぞれに対して、上記管理者または上記複数の顧客の内のどの顧客が閲覧可能で、さらに、上記管理者または上記複数の顧客の内のどの顧客が編集可能であるかに関する設定を上記顧客の指示に応じて行い、当該設定の保存を行うものである
ことを特徴とするデータ蓄積システム。
【請求項６】
上記顧客は、上記試着させた写真について、希望する画像修正を上記管理者に依頼可能とする修正依頼手段を有する
ことを特徴とする請求項５に記載のデータ蓄積システム。
【請求項７】
上記試着手段は、衣類等メーカ・サイトと連動し、上記衣類等メーカが提供する衣類等の画像を上記顧客が利用可能とし、さらに、上記顧客が選択する衣類等を上記衣類等メーカに注文可能とすること
を特徴とする請求項５または６に記載のデータ蓄積システム。
【請求項８】
上記データ蓄積システムの管理者は、写真関係事業者または、写真関係事業者から委託を受けた者であることを特徴とする請求項１から７のいずれかに記載のデータ蓄積システム。
【請求項９】
上記管理者に係る広告を上記顧客に送信可能とする広告送信手段を有する
ことを特徴とする請求項１から８のいずれかに記載のデータ蓄積システム。
【請求項１０】
上記広告送信手段は、上記管理者が編集可能である顧客の写真を編集し、上記広告とともに上記顧客に送信する
ことを特徴とする請求項９に記載のデータ蓄積システム。
【請求項１１】
上記広告送信手段は、上記管理者が編集可能である顧客の写真を上記管理者あるいは上記衣類等メーカが編集し、当該衣類等メーカの広告とともに上記顧客に送信する
ことを特徴とする請求項９または１０に記載のデータ蓄積システム。
【請求項１２】
上記顧客が使用可能なデータベース手段を有することを特徴とする請求項１から１１のいずれかに記載のデータ蓄積システム。
【請求項１３】
上記顧客が閲覧あるいは修正可能な複数の写真を用いてアルバムを作成できるアルバム作成手段を有する
ことを特徴とする請求項１から１２のいずれかに記載のデータ蓄積システム。
【発明の詳細な説明】
【技術分野】
【０００１】
本発明は、商品試着システム、ソーシャルネットワークに掲載されている画像を処理する画像処理システムおよびそれらを利用したフォト・コミュニケーション・システムに関する。
【背景技術】
【０００２】
ユーザ（消費者）が、洋服、帽子、手袋などの商品を購入する場合、店で気になる商品を予め試着などすることにより複数の商品の中から、自己に似合う商品を決定することが一般的に行われている。しかしながら、自己の満足がいくまで、ユーザが試着を繰り返すことは非常に手間が掛かり、長時間を要するという問題がある。
【０００３】
このような問題に対して、従来より、ウェブサイトを利用した試着体験システムが存在する。この試着体験システムでは、ユーザの身体サイズが反映されたマネキン画像やモデル画像の上に、洋服などの画像を重ねて表示することにより、店で試着を行わなくても、満足がいくまで試着を繰り返すことが出来て、自己の気に入った商品を見つけ出し、購入することが出来る。
【０００４】
しかしながら、従来の試着体験システムでは、前記マネキン画像やモデル画像が、代表的なユーザの身体を反映させた画像であったり、ユーザの所定のパラメータ（身長、体重など）に応じた画像であったりする。そのため、ユーザの身体の特徴を完全に反映しておらず、従来の試着体験システムを利用したユーザは、実際に自分が試着したという実感が沸き難く、試着した商品が本当に自分に合っているのか否かを判断することが困難であるという問題がある。
【０００５】
このような問題を解決する技術として、特開２００４−８６６６２号公報（特許文献１）には、画面上で画像合成により服を試着するサービスを提供する服試着サービス提供方法が開示されている。当該服試着サービス提供方法では、前記服の試着に必要なデータを管理する管理サーバと、利用者の操作する利用者端末装置とをネットワークで接続するとともに、前記管理サーバに接続された服描画用データ記憶手段に、前記服を画面上に描くための服描画用データを記憶しておく。次に、撮影手段により撮影された前記利用者の画像を用いて前記利用者の体型を代表する体型代表点を設定し、前記利用者端末装置からの前記利用者の要求に応じ、前記管理サーバの服描画用データ送信手段により、前記服描画用データ記憶手段に記憶された前記服描画用データを、前記ネットワークを介して前記利用者端末装置に送信する。そして、前記利用者端末装置の服描画用データ加工手段により、前記体型代表点データに基づき前記服描画用データを加工して前記服を前記利用者の体型に合う状態に変形した後、前記利用者端末装置の画像合成手段により、加工された前記服描画用データを用いて前記服を前記利用者の画像上に重ね合わせて前記表示手段に表示する。
【０００６】
これにより、利用者が、どのような体型、体格、容姿を持っていても、管理サーバに用意されている服を、その利用者に試着させることが出来るため、利用者は、利用者端末装置の表示手段の画面上で、その服が自分に合うか否かを容易に確認することが出来るとしている。
【０００７】
又、特開２００７−１１５４３号公報（特許文献２）には、ユーザが利用する端末装置と、前記端末装置がネットワークを介して接続可能なサーバとを備え、ユーザによる商品の着用のシミュレーションを行う商品着用シミュレーションシステムが開示されている。当該サーバは、ユーザの身体の外観を表した身体画像情報及び商品の外観を表した商品画像情報を記憶し、かつ前記身体画像情報の身体形状に適合して前記商品画像情報の商品形状を変形させるために当該商品画像情報上に配置される複数の変形点の位置を夫々示す変形点位置情報を記憶する記憶手段を備える。又、当該端末装置は、前記サーバに記憶された身体画像情報、商品画像情報及び変形点位置情報を前記サーバから取得する画像等取得手段と、前記取得された身体画像情報を表示する身体画像表示手段と、前記取得された変形点位置情報を変更して前記変形点の位置を移動させる変形点移動手段とを備える。更に、前記端末装置は、前記変更された変形点位置情報に基づいて、前記取得された商品画像情報の商品形状を変形させる商品画像変形手段と、前記表示された身体画像情報の上に前記変形された商品形状に係る商品画像情報を表示する変形商品画像表示手段とを備える。
【０００８】
これにより、身体画像情報として、ユーザ自身を写した写真画像などを用いた場合においても、ユーザの体形などに合った商品形状の商品画像情報を用いて着用シミュレーションを行うことが可能となるため、ユーザが実際着用したときの姿に近いシミュレーション結果を得ることが出来るとしている。
【０００９】
また、近時、ソーシャルネットワークを利用して友達同士のコミュニケーションがなされるようになってきている。
このソーシャルネットワークを利用しているユーザ(以下、単にユーザという)の中には、自分のメーク、ヘアスタイル、衣装などについて友達のコメントをもらいたいと思っている者もいる。
また、ユーザのある者は、ネットワーク上に掲載されている友達の画像に加工を施してコミュニケーションを取りたいと思っている。
【００１０】
しかしながら、現状においては、ソーシャルネットワークに掲載された画像を加工する方法および手段は存在しない。
なお、ネットワークシステムを利用して画像と音楽がマッチした電子アルバムを作成する技術については、特許文献１に提案がなされている。
【００１１】
さらに、電子アルバムの作成サービスに関して、インターネットを利用して、いわゆる写真業者が提供するという新たなビジネスも展開されている。しかし、インターネットを介したビジネスでは、写真業者と顧客の関係が一過性のものになりやすく、顧客との長期的な関係を築くためには、さらなる工夫が必要である。
【先行技術文献】
【特許文献】
【００１２】
【特許文献１】特開２００４−８６６６２号公報
【特許文献２】特開２００７−１１５４３号公報
【特許文献３】特開２００３−１１６０９４号公報
【発明の概要】
【発明が解決しようとする課題】
【００１３】
しかしながら、特許文献１又は２に記載の技術では、現実に近い試着状態を再現することが出来るため、商品が自己に似合うか否かは容易に判断出来るものの、複数の店をまたがって商品を選択することが出来ないため、試着シミュレーションが所定の店の商品に限定される傾向があるという問題がある。
【００１４】
又、試着させる商品を販売している店は、通常、試着させる身体の一部の装飾品を取り扱っていることが殆どである。そのため、前記特許文献１又は２に記載の技術では、ユーザの身体の全体に係わる商品を総合的に試着させるためには、多くの画面切替を必要とする。つまり、基本となる基本画面から、先ず、一の店の画面を開いて、当該一の店の商品を試着し、次に、前記基本画面に戻って、他の店の画面を開いて、当該他の店の商品を試着する。このように多くの画面切替が発生すると、試着された身体画像が、所定の画面から消去され、各画面の切替毎に、ユーザの頭に描いていた試着後の身体画像、言い換えると、ユーザの試着イメージが損なわれるという問題がある。更に、前記画面切替の多さから、試着シミュレーションでも長時間を要するという問題がある。
【００１５】
そこで、本発明は、前記問題を解決するためになされたものであり、ユーザの試着イメージを損なうことなく、様々な店の商品を簡単に試着シミュレーションすることが可能な商品試着システム、商品試着方法、プログラム、記憶媒体を提供することを目的とする。
【００１６】
また、ソーシャルネットワーク上に掲載された画像の加工がなし得る画像処理方法および画像処理システム提供することを目的としている。
【００１７】
さらに、インターネットを介した写真業ビジネスにおいては、顧客との長期的な関係を構築するために、例えば、顧客の個人情報から、顧客の記念日を知り、記念日前に顧客に記念撮影に関する広告を電子メール等で送ることにより、販売促進を図る等の方策も考えられる。しかしながら、個人情報の開示に慎重な昨今の状況を考慮すると、顧客の個人情報を得ることは容易ではない
【課題を解決するための手段】
【００１８】
本発明に係る写真等データを蓄積するデータ蓄積システムは、写真等データを蓄積するデータ蓄積システムであって、複数の顧客のコンピュータに対して相互にデータ通信可能であり、且つ、管理者および複数の顧客が写真等データをアップロード可能な蓄積手段と、当該システムにログインする顧客を認証し、認証情報を管理する顧客認証管理手段と、管理者が蓄積手段にアップロードした写真等データに対して、複数の顧客の内のどの顧客が閲覧可能で、さらに、どの顧客が編集可能であるかに関する設定を管理者の指示に応じて行い、当該設定の保存を行うアクセス権設定手段と、顧客が上記蓄積手段にアップロード可能な顧客情報を蓄積する顧客情報管理手段と、蓄積手段に蓄積されている写真等データであって、顧客がアクセス権を有し且つ当該顧客が指定するデータに関する情報を当該データ蓄積システムにより閲覧可能であることを、指定した日時に指定した相手に送信する設定を行う日時指定送信手段とを有し、アクセス権設定手段は、顧客が蓄積手段にアップロードした写真等データそれぞれに対して、管理者または複数の顧客の内のどの顧客が閲覧可能で、さらに、管理者または複数の顧客の内のどの顧客が編集可能であるかに関する設定を顧客の指示に応じて行い、当該設定の保存を行うことを特徴とする。
【００１９】
特に日時指定送信手段は、一群の顧客の各々が指定するデータに関する情報をひとつのまとまった情報群として、当該データ蓄積システムにより閲覧可能であることを指定した日時に指定した相手に送信する設定を行い、且つ、一群の顧客の各々がデータを指定する期間、および一群の顧客の各々がひとつのまとまった情報群を閲覧できる期間を制限することを特徴とする。
また、特に日時指定送信手段は、指定した相手が当該データ蓄積システムの顧客である場合、顧客情報管理手段に蓄積されている顧客情報を用いて、指定した相手に送信する手段を決定することを特徴とする。
また、特に日時指定送信手段は、指定した相手に、顧客が指定するデータに関する情報を当該データ蓄積システムにより閲覧可能であることに加えて、当該データ蓄積システムにログインするための情報を送信することを特徴とする。
【００２０】
本発明に係る写真等データを蓄積するデータ蓄積システムは、写真等データを蓄積するデータ蓄積システムであって、複数の顧客のコンピュータに対して相互にデータ通信可能であり、且つ、管理者および複数の顧客が写真等データをアップロード可能な蓄積手段と、当該システムにログインする顧客を認証し、認証情報を管理する顧客認証管理手段と、管理者が蓄積手段にアップロードした写真等データに対して、複数の顧客の内のどの顧客が閲覧可能で、さらに、どの顧客が編集可能であるかに関する設定を管理者の指示に応じて行い、当該設定の保存を行うアクセス権設定手段と、顧客が上記蓄積手段にアップロード可能な顧客情報を蓄積する顧客情報管理手段と、管理者が試着用衣類等データを蓄積手段にアップロード可能であり、顧客が試着用衣類等データを自己が編集可能な写真または動画に試着させ、当該試着させた写真または動画を閲覧および蓄積手段へアップロードを可能とする試着手段とを有し、アクセス権設定手段は、顧客が蓄積手段にアップロードした写真等データそれぞれに対して、管理者または複数の顧客の内のどの顧客が閲覧可能で、さらに、管理者または複数の顧客の内のどの顧客が編集可能であるかに関する設定を顧客の指示に応じて行い、当該設定の保存を行うことを特徴とする。
【００２１】
特に顧客は、試着させた写真について、希望する画像修正を管理者に依頼可能とする修正依頼手段を有することを特徴とする。
また、特に試着手段は、衣類等メーカ・サイトと連動し、衣類等メーカが提供する衣類等の画像を顧客が利用可能とし、さらに、顧客が選択する衣類等を衣類等メーカに注文可能とすることを特徴とする。
【００２２】
特にデータ蓄積システムの管理者は、写真関係事業者または、写真関係事業者から委託を受けた者であることを特徴とする。
【００２３】
特に管理者に係る広告を顧客に送信可能とする広告送信手段を有することを特徴とする。
また、特に広告送信手段は、管理者が編集可能である顧客の写真を編集し、広告とともに顧客に送信することを特徴とする。
【００２４】
特に広告送信手段は、管理者が編集可能である顧客の写真を管理者あるいは衣類等メーカが編集し、当該衣類等メーカの広告とともに顧客に送信することを特徴とする。
【００２５】
特に顧客が使用可能なデータベース手段を有することを特徴とする。
また、特に顧客が閲覧あるいは修正可能な複数の写真を用いてアルバムを作成できるアルバム作成手段を有することを特徴とする。
【発明の効果】
【００２６】
本発明は前記のごとく構成されているので、写真関係事業者等が運営管理する当該システムを利用することで、家族や友人の人生の節目々々となる記念日等に思い出や記念となる写真や音声メッセージに関する情報を自動で送信し、家族や友人に自分の気持ちを伝えることで時に感動を与え、時に驚きを与え、あるいは楽しますことが可能となる。このように、当該システムは、写真という人に特別な感情を一生涯に渡ってもたらすものを利用したコミュニケーション・ツールとして機能するため、顧客の長期にわたる利用を促し、それにより、本来一過性となりがちな写真関係事業者等と顧客の関係を長期化させることが可能となる。
【図面の簡単な説明】
【００２７】
【図１】本発明の実施形態１に係る商品試着システムの全体構成を示す概念図である。
【図２】本発明の実施形態１に係る商品試着システムの機能ブロック図である。
【図３】本発明の実施形態１に係る実行手順を示すためのフローチャートである。
【図４】本発明の実施形態１に係る全体画像の一例を示す図である。
【図５】本発明の実施形態１に係る店商品テーブルの一例を示す図である。
【図６】本発明の実施形態１に係る各店識別情報毎の商品画像の表示形態の一例を示す第一の図である。
【図７】本発明の実施の形態１に係る所定の店識別情報における複数の商品画像の表示形態の一例を示す第一の図である。
【図８】本発明の実施の形態１に係る商品詳細画面の表示形態の一例を示す図である。
【図９】本発明の実施の形態１に係る試着身体画像の表示形態の一例を示す図である。
【図１０】本発明の実施の形態１に係る所定のメッセージの表示形態の一例を示す図である。
【図１１】本発明の実施の形態１に係る局部的な身体部位に装着される商品画像の表示形態の一例を示す図である。
【図１２】本発明の実施の形態１に係る各店識別情報毎の商品画像の表示形態の一例を示す第二の図である。
【図１３】本発明の実施の形態１に係る所定の店識別情報における複数の商品画像の表示形態の一例を示す第二の図である。
【図１４】本発明の実施の形態１に係る各店識別情報毎の商品画像の表示形態の一例を示す第三の図である。
【図１５】本発明の実施の形態１に係る所定の店識別情報における複数の商品画像の表示形態の一例を示す第三の図である。
【図１６】本発明の実施の形態２に係る画像処理システムの概略図である。
【図１７】本発明の実施の形態２に係る同システムの端末のブロック図である。
【図１８】本発明の実施の形態２に係る同システムのサーバのブロック図である。
【図１９】本発明の実施の形態２に係るソーシャルネットワークに掲載されている画像の例示図である。
【図２０】本発明の実施の形態２に係る同例示図に加工を施した例示図である。
【図２１】本発明の実施の形態２に係る画像の加工編集の例示図であって、同(ａ)は加工編集前を示し、同(ｂ)は加工編集後を示す。
【図２２】本発明の実施の形態３に係るデータ蓄積システムのシステム構成図である。
【図２３】本発明の実施の形態３に係るデータ蓄積システムのシステム構成ブロック図である。
【図２４】本発明の実施の形態３に係るデータ蓄積システムの指定日時設定手段に関するフローチャートである。
【図２５】本発明の実施の形態３に係るデータ蓄積システムの送信手段に関するフローチャートである。
【図２６】本発明の実施の形態３に係るデータ蓄積システムの第一の活用例を説明する図である。
【図２７】本発明の実施の形態３に係るデータ蓄積システムの写真の表示の一例を説明する図である。
【図２８】本発明の実施の形態３に係るデータ蓄積システムの第二の活用例を説明する図である。
【図２９】本発明の実施の形態３に係るデータ蓄積システムの第三の活用例を説明する図である。
【図３０】本発明の実施の形態３に係るデータ蓄積システムの第四の活用例を説明する図である。
【図３１】本発明の実施の形態３に係るデータ蓄積システムの第四の活用例を説明する図である。
【発明を実施するための形態】
【００２８】
実施の形態１．
以下に、添付図面を参照して、本発明に係る商品試着システムの実施形態について説明し、本発明の理解に供する。尚、以下の実施形態は、本発明を具体化した一例であって、本発明の技術的範囲を限定する性格のものではない。
【００２９】
＜商品試着システム＞
図１は、本発明に係る商品試着システムの一例を示した概略構成図である。
本発明に係る商品試着システム１は、図１に示すように、複数の携帯端末装置２（２ａ、２ｂ）と、サーバコンピュータ３とを、インターネットなどのネットワーク４を介して接続された構成である。
【００３０】
前記携帯端末装置２は、一般に使用される携帯用のコンピュータであり、タッチパネルなどの表示受付部５（５ａ、５ｂ）を備え、当該表示受付部５を介して、前記サーバコンピュータ３からの指示、命令により、所定の画像（写真）を所定の画面に表示したり、当該携帯端末装置２の所有者であるユーザから所定の指示、命令を受け付けたりする。又、所定の（一の）携帯端末装置２ａは、ネットワーク４を介して接続された他の携帯端末装置２ｂと、前記サーバコンピュータ３とに対してデータ（情報）の送受信を実行する。
【００３１】
又、前記携帯端末装置２ａは、キーボードキーなどを表示して、ユーザから所定のメッセージの入力を受け付けるとともに、受け付けたメッセージを、前記他の携帯端末装置２ｂに出力するメッセージ入出力部（図示せず）を備える。本発明の実施形態では、前記メッセージ入出力部は、前記表示受付部５ａと一体である。尚、前記他の携帯端末装置２ｂも、同様である。
【００３２】
更に、前記携帯端末装置２ａと前記他の携帯端末装置２ｂとには、小型カメラ、ウェブカメラなどの画像撮影部６（６ａ、６ｂ）がそれぞれ備えられており、当該画像撮影部６を介して、ユーザの身体画像、顔画像を含む画像を撮影することが出来る。
【００３３】
そして、前記携帯端末装置２ａは、小型マイクや小型スピーカーなどであり、ユーザの音声の入力を受け付けるとともに、受け付けた音声を、前記他の携帯端末装置２ｂに出力する音声入出力部７ａを備えている。尚、前記他の携帯端末装置２ｂにも、同様の音声入出力部７ｂが備えられている。
【００３４】
尚、前記携帯端末装置２は、例えば、携帯電話機、ＰＤＡ（Personal Digital Assistant）、タブレット型携帯端末装置などが採用されるが、これらに限られず、更に、前記携帯端末装置２の構成及び機能と同等である一般に使用されるコンピュータ（端末装置）であっても構わない。
【００３５】
又、サーバコンピュータ３は、一般に使用されるコンピュータであり、データを記憶する記憶部（図示せず）と、前記携帯端末装置２からの指示、命令に応じて当該形態端末装置２にデータを提供したり、当該記憶部に所定のデータを記憶させたりする制御部とを備える。記憶部は、データベースとしての役割を果たす。又、前記サーバコンピュータ３は、ユーザに関するデータ、所定のパスワード、店に関するデータ、商品に関するデータなどを前記記憶部に記憶させ、一元管理する。
【００３６】
尚、前記サーバコンピュータ３は、図１に示すように、一台のみ記載しているが、複数のサーバコンピュータ３を設置して、ネットワーク４に接続し、複数のサーバコンピュータ３により、上述したデータの送受信、記憶を実行するよう構成してもよい。この場合、複数のサーバコンピュータ３が、ネットワーク４上でサービスを提供するクラウドコンピュータとして機能する
。
【００３７】
又、携帯端末装置２、サーバコンピュータ３は、ＣＰＵ（Central Processing Unit）、ＲＯＭ（Read Only
Memory）、ＲＡＭ（Random Access Memory）、ＨＤＤ（Hard Disk Drive）を内蔵しており、ＣＰＵは、例えば、ＲＡＭを作業領域として利用し、ＲＯＭ、ＨＤＤなどに記憶されているプログラムを実行する。又、後述する各手段（図２に示す）については、ＣＰＵがプログラムを実行することで当該各手段を実現する。
【００３８】
又、前記ネットワーク４は、例えば、通信プロトコルにＴＣＰ／ＩＰ（Transmission Control Protocol/Internet Protocol）が利用され、インターネット、公衆回線網、移動体通信回線網、ＣＡＴＶ（Community Antenna Television）などの専用回線などが採用される。
【００３９】
＜本発明の実施形態＞
次に、図２、図３を参照しながら、本発明に係る構成及び実行手順について説明する。図２は、本発明に係る商品試着システムの機能ブロック図である。図３は、本発明に係る商品試着の実行手順を示すためのフローチャートである。
【００４０】
先ず、ユーザが、携帯端末装置２ａの電源を入れると、当該携帯端末装置２ａのタッチパネル５ａに対応する表示受付手段２０１ａが起動し、所定の画面に画像を表示可能な状態となるとともに、ユーザの操作による所定の入力を受付可能な状態となる。
【００４１】
そこで、ユーザが、前記表示受付手段２０１ａに、サーバコンピュータ３へのアクセス指示を入力すると、当該表示受付手段２０１ａが、当該サーバコンピュータ３のユーザ情報管理手段２０２にアクセス指示を送信する。
【００４２】
ここで、前記アクセス指示は、例えば、ブラウザを介して商品試着システム１に係るサーバコンピュータ３のＵＲＬ（Uniform Resource Locator）が入力されることによってなされる。
前記アクセス指示を受信したユーザ情報管理手段２０２は、ユーザの操作により、前記表示受付手段２０１ａから、ユーザに関連するユーザ情報と、ユーザが入力したパスワードとの入力を受け付ける（図３：Ｓ１０１）。
【００４３】
例えば、前記ユーザ情報管理手段２０２が、前記表示受付手段２０１ａのタッチパネル５ａの画面に、前記ユーザ情報の入力欄と、前記パスワードの入力欄と、所定のキーボードキーと、ＯＫキーとを表示することで、当該ユーザ情報と当該パスワードとの入力を受け付ける。
【００４４】
ここで、前記ユーザ情報は、ユーザに関連するユーザ情報であれば、どのような情報でも構わないが、例えば、ユーザの識別情報（識別番号、ユーザＩＤ）、ユーザの氏名、住所、年齢、性別、商品購入決済のためのクレジット情報などが含まれる。又、前記パスワードは、どのようなパスワードでも良く、前記ユーザ情報の入力が完成すると、前記サーバコンピュータ３から任意に発行されるパスワードでも、ユーザが任意に入力したパスワードでも構わない。
【００４５】
ユーザが、前記キーボードキーを利用して、所定のユーザ情報（氏名「ユーザＡ」、住所、クレジット情報など）と、所定のパスワードとを所定の入力欄にそれぞれ入力し、前記ＯＫキーを選択すると、前記ユーザ情報管理手段２０２が、前記表示受付手段２０１ａを介して、前記ユーザ情報と前記パスワードとの入力を受け付け、その旨を前記サーバコンピュータ３の身体画像受付手段２０３に通知する。当該通知を受けた身体画像受付手段２０３は、前記表示受付手段２０１ａから、ユーザの操作により、装飾品を着用した身体画像（写真）の入力を受け付ける（図３：Ｓ１０２）。
【００４６】
例えば、前記身体画像受付手段２０３が、アクセス元の携帯端末装置２ａの画像撮影手段２０４ａを起動して、当該画像撮影手段２０４ａが撮影する画像（写真）を、前記表示受付手段２０１ａのタッチパネル５ａの画面に表示する。又、前記身体画像受付手段２０３が、撮影される画像を取り込むための撮影キーを前記画面に選択可能に表示する。これにより、前記身体画像受付手段２０３は、前記身体画像の入力を受け付ける。
【００４７】
又、前記ユーザ情報管理手段２０２は、前記タッチパネル５ａの画面に、既に入力された画像を呼び出すための呼出キーを選択可能に表示する。尚、前記呼出キーの利用方法についての説明は、後述する。
【００４８】
さて、ユーザが、前記表示受付手段２０１ａに表示された画像を、自身の身体が全部収まる画像となるように前記画像撮影手段２０４ａを調整して、前記撮影キーを選択すると、前記身体画像受付手段２０３が、当該画像撮影手段２０４ａから、ユーザの身体画像を含む全体画像の入力を受け付ける。
【００４９】
ここで、受け付けた全体画像４００は、図４に示すように、通常の写真（画像）であり、ユーザが細身の女性である場合、当該ユーザの身体全体に対応する身体画像４０１と、当該ユーザの背景（例えば、公園）に対応する背景画像４０２とから構成される。又、前記身体画像４０１には、普段着として撮影時に着用していた装飾品画像４０３が含まれる。前記装飾品画像４０３は、店が販売する商品画像を試着可能な画像であり、例えば、図
４に示すように、ブラウス画像、上着画像、ネクタイ画像、スカート画像、靴下画像、靴画像の他に、眉毛画像、目画像、唇画像、頭髪画像、頬画像なども含まれる。
【００５０】
さて、前記身体画像受付手段２０３は、前記全体画像４００の入力を受け付けると、前記身体画像４０１を含む全体画像４００を、前記表示受付手段２０１ａのタッチパネル５ａの画面に表示するとともに、当該身体画像４０１の身体に関するサイズ情報の入力を受け付ける（図３：Ｓ１０３）。
【００５１】
例えば、前記身体画像受付手段２０３が、前記タッチパネル５ａの画面の身体画像４０１の前面に、前記サイズ情報の入力欄と、所定のキーボードキーと、ＯＫキーとを表示することで、当該サイズ情報の入力を受け付ける。
【００５２】
ここで、前記サイズ情報は、身体に関するサイズ情報であれば、どのような情報でも構わないが、例えば、身長、体重、胸囲とウエストとヒップの３サイズなどの前記身体画像を修正するための体形修正情報と、裄丈、袖丈、股下、首周り、足サイズなどの所定の商品のサイズを決定するための商品決定情報とが含まれる。
【００５３】
ユーザが、前記キーボードキーを利用して、所定のサイズ情報（例えば、体形修正情報の身長１６０ｃｍ、体重４５ｋｇ、商品決定情報のウエスト５９など）を前記入力欄に入力し、前記ＯＫキーを選択すると、前記身体画像受付手段２０３が、当該サイズ情報の入力を受け付けて、前記表示受付手段２０１ａの画面に表示させる身体画像４０１を、入力されたサイズ情報に基づいて修正する（図３：Ｓ１０４）。
【００５４】
例えば、前記身体画像受付手段２０３は、前記サイズ情報（特に、体形修正情報）に応じて前記身体画像４０１の縦横比を修正したり、前記身体画像４０１の体格を修正したりする。更に、前記身体画像受付手段２０３は、ユーザによる入力指示又は予め設定された指示により、必要に応じて、前記身体画像４０１のリサイズ、コントラスト、シャープ、フィルターなどの修正、セピア、グレースケールなどの色調修正、赤目補正、２次元画像を立体画像のように見せる３次元画像処理などを実行したり、前記身体画像４０１の他に前記背景画像４０２を修正したりする。
【００５５】
尚、前記修正は、必ずしも実行する必要は無く、前記サイズ情報の入力欄に何も入力されていない状態で、前記ＯＫキーが選択された場合は、前記前記身体画像受付手段２０３は省略する。
【００５６】
さて、前記身体画像受付手段２０３が前記修正を完了する又は省略すると、前記修正完了後の身体画像又は修正無しの身体画像４０１を、前記背景画像４０２とともに、前記表示受付手段２０１ａのタッチパネル５ａの画面に表示する（図３：Ｓ１０５）。
【００５７】
次に、前記身体画像受付手段２０３は、その旨を前記サーバコンピュータ３の店選択受付手段２０５に通知し、当該通知を受けた店選択受付手段２０５は、前記表示受付手段２０１ａの画面に表示された身体画像４０１の近傍に、所定の店識別情報における複数の商品画像のうち、代表される一の商品画像を、各店識別情報毎に、予め設定された個数だけ、選択可能に表示する。
【００５８】
前記店選択受付手段２０５の商品画像の表示方法は、どのような方法でも構わないが、先ず、前記店選択受付手段２０５は、ユーザの操作により、前記表示受付手段２０１ａから、所定のキーワードの入力を受け付ける（図３：Ｓ２０６）。
【００５９】
例えば、前記店選択受付手段２０５が、前記タッチパネル５ａの画面の全体画像４００の前面に、前記キーワードの入力欄と、所定のキーボードキーと、ＯＫキーとを表示することで、当該キーワードの入力を受け付ける。
【００６０】
ここで、前記キーワードは、どのようなキーワードでも構わないが、例えば、ファッション名、趣味名、ブランド名、店名、地域名などの店を検索（選択）することが可能なキーワードが含まれる。ユーザが、自己の興味のあるファッション名や好きなブランド名などが入力されると好ましい。
【００６１】
ユーザが、前記キーボードキーを利用して、所定のキーワード（例えば、綺麗）を前記入力欄に入力し、前記ＯＫキーを選択すると、前記店選択受付手段２０５が、当該キーワードの入力を受け付けて、前記サーバコンピュータ３の店商品記憶手段２０６に記憶された店商品テーブルを参照する。
【００６２】
前記店商品テーブル５００には、図５に示すように、身体に着用可能な商品を販売する店の店識別情報５０１（店コード、例えば、「ショップＡ」など）と、当該店に関係するキーワード５０２（例えば、綺麗、ファッション、ショップＡ、神戸、関西など）と、当該店の商品を模した商品画像５０３（例えば、上着画像、ヘアースタイル画像、スカート画像など）と、当該商品の所定の期間内での購入量５０４とが関連付けて記憶されている。
【００６３】
ここで、前記商品は、（人の）身体に着用可能な商品であれば、どのような商品でもよく、又、前記店は、当該商品を販売する店であれば、どのような店でも構わない。例えば、前記商品が、頭髪の形態を変更するヘアースタイル、頭髪の色を変更するヘアーカラー、顔の頬の色を変更する（チーク）メイク、顔の目の色を変更するカラーコンタクト、顔の目の形態を変更するアイメイク（アイライン、マスカラ、アイシャドー）、顔の目のまつ毛の形態を変更する付けまつ毛、顔の唇の色を変更する口紅等であれば、当該商品を販売する店は、美容院、美容室、美容エステ等となる。又、前記商品が、コート、ジャケット、シャツ等の身体の上半身に着用する商品、スカート、パンツ、ジーンズ等の身体の下半身に着用する商品であれば、当該商品を販売する店は、ブティック等の服屋、服専門店等となる。更に、前記商品が、ネイル、指輪、アクセサリ等の身体の手に着用する商品、バッグ等の身体の腕に着用する商品、靴下、靴等の身体の脚に着用する商品であれば、当該商品を販売する店は、ネイルサロン、ジュエリーショップ、バッグ屋、靴屋等となる。
【００６４】
又、前記店商品テーブル５００に記憶されたキーワード５０２は、例えば、対応する店識別情報５０１の店の端末装置から、店の店員や店長により予め入力されたキーワードである。又、前記店商品テーブル５００の購入量５０４に設定された所定期間は、例えば、１ヶ月、３ヶ月、半年、１年等であり、前記商品試着システム１を管理する管理人などのユーザにより予め入力された期間である。
【００６５】
さて、前記店商品テーブル５００を参照した店選択受付手段２０５は、先ず、当該店商品テーブル５００のキーワード５０２が、ユーザにより先ほど入力されたキーワード（「綺麗」）の全部又は一部に一致するか否かを各店識別情報５０１毎に判定する。
【００６６】
前記判定の結果、両者が一致する場合、前記店選択受付手段２０５は、一致する前記店商品テーブル５００のキーワード５０２と関連付けられた店識別情報５０１（例えば、「ショップＡ」）に属する商品画像５０３（「上着画像」）のうち、最も購入量５０４が高い商品画像５０３を検索する。最も購入量５０４が高い商品画像５０３が、所定の店識別情報５０１において代表される一の商品画像となる。そして、前記店選択受付手段２０５は、検索した商品画像５０３を、前記店識別情報５０１における最購入商品画像として取得し、優先を示す優先情報を付すことになる。
【００６７】
更に、前記店選択受付手段２０５は、最購入商品画像を未取得の他の店識別情報５０１（例えば、「ショップＢ」）について、前記店商品テーブル５００のキーワード５０２が、前記入力されたキーワードの全部又は一部に一致するか否かを判定する。当該判定の結果、両者が不一致の場合は、前記店選択受付手段２０５が、最購入商品画像を未取得の他の店識別情報５０１について同様の判定を行うことになる。
例えば、図５に示す店商品テーブル５００の場合、入力されたキーワード（「綺麗」）の全部又は一部に一致するキーワードと関連付けられた前記店識別情報５０１「ショップＡ」の一の商品画像５０３のみが、前記最購入商品画像として取得され、前記優先情報が付される。
【００６８】
全ての店識別情報５０１について前記キーワードに関する判定を完了すると、前記店選択受付手段２０５は、次に、最購入商品画像を未取得の他の店識別情報５０１（例えば、「ショップＢ」）を参照し、参照した他の店識別情報５０１に属する商品画像５０３について、上述した方法で、最購入商品画像を取得する。尚、前記キーワードに関する判定が完了した後に取得される最購入商品画像は、前記優先情報は付されない。
【００６９】
このような最購入商品画像の取得を、前記店選択受付手段２０５は、前記店商品テーブル５００の店識別情報５０１の全部について実行し、店識別情報５０１の全部について最購入商品画像をそれぞれ取得する。
これにより、ユーザが入力したキーワードと関連する所定の店の最購入商品画像が、前記優先情報により、他の最購入商品画像と区別可能となる。
【００７０】
さて、各店識別情報毎の最購入商品画像の取得を完了すると、前記店選択受付手段２０５は、各店識別情報毎の最購入商品画像のサイズを、前記全体画像４００の左端部のサイズに対応するサイズ、例えば、予め設定された第一の正方形のサイズ（例えば、２０ｍｍ×２０ｍｍ）に変更する。ここで、前記第一の正方形のサイズは、ユーザの指先の押下領域が含まれるサイズで、ユーザが選択し易いサイズである。そして、前記店選択受付手段２０５は、前記表示受付手段２０１ａのタッチパネル５ａの画面に表示された身体画像の近傍に、サイズが変更された最購入商品画像を、各店識別情報毎に、予め設定された個数（例えば、６個）だけ、選択可能に表示する（図３：Ｓ１０７）。
【００７１】
前記タッチパネル５ａには、図６に示すように、前記全体画像４００の身体画像４０１が、中央部に表示されるとともに、各店識別情報毎の最購入商品画像６００が、左端部に上方から下方に並べられて選択可能に表示される。
これにより、前記身体画像とともに、様々な店の商品画像が表示されるため、ユーザは、視覚を使って当該身体画像に似合う商品を簡単に見つけることが可能となる。又、各店毎の人気商品が表示されることで、ユーザは、現時点での各店毎の流行（ファッション、トレンド、ブーム）を一見して捉えることが可能となる。
【００７２】
前記タッチパネル５ａには、更に、現時点で前記タッチパネル５ａ上に表示されている最購入商品画像６００を消去して、当該タッチパネル５ａ上に表示することが出来ない最購入商品画像を表示させるためのスクロールキー６０１も選択可能に表示される。前記スクロールキー６０１の選択により、未だ表示されていない最購入商品画像を表示させることが可能となる。
【００７３】
ここで、前記店選択受付手段２０５は、各店識別情報毎の最購入商品画像を表示する際に、前記優先情報が付された最購入商品画像を、前記優先情報が付されていない他の最購入商品画像よりも優先的に表示する。
例えば、前記店選択受付手段２０５は、図６に示すように、前記優先情報が付された最購入商品画像６００ａ（「ショップＡ」の「上着画像」）を、前記表示受付手段２０１ａに表示された全体画像４００の左端部の最上部に表示する。
【００７４】
これにより、ユーザが、現時点で興味のあるキーワードや好きなキーワードを入力すれば、当該キーワードに関連する店の人気商品画像が、ユーザの確認し易い位置に表示される。そのため、ユーザは、興味のある人気商品画像を素早く確認することが可能となるとともに、当該最購入商品画像を簡単に選択することが可能となる。尚、図６では、前記優先情報が付された最購入商品画像６００ａが１つの場合であるが、複数であっても構わない。
【００７５】
又、前記店選択受付手段２０５は、表示された身体画像４０１における所定の身体部位の近傍に、当該身体部位に試着可能な最購入商品画像６００を選択可能に表示する。
【００７６】
例えば、前記店選択受付手段２０５は、表示された身体画像４０１を、所定の身体部位情報（例えば、頭、上半身、下半身、手、腕、脚、足など）が所定の身体部位の画像に予め設定された標準身体画像と比較することで、一致した身体画像４０１の身体部位の画像に、対応する標準身体画像の身体部位の画像における身体部位情報を付する。次に、前記店選択受付手段２０５が、前記最購入商品画像６００（前記商品画像）に予め設定されている、自商品画像の商品が着用される身体部位の身体部位情報と、前記付された身体画像４０１の身体部位情報とを対応させることで、表示された身体画像４０１における所定の身体部位の近傍に、当該身体部位に試着可能な最購入商品画像６００を選択可能に表示する。
【００７７】
例えば、図６に示すように、前記身体画像における頭４０１ｂの近傍には、当該頭４０１ｂに試着可能なヘアースタイル画像６００ｂ１や口紅画像６００ｂ２が表示され、上半身４０１ｃの近傍には、当該上半身４０１ｃに試着可能な上着画像６００ｃが表示され、手４０１ｄの近傍には、当該手４０１ｄに装着可能なネイル画像６００ｄが表示され、下半身４０１ｅの近傍には、当該下半身４０１ｅに試着可能なスカート画像６００ｅが表示される。
【００７８】
これにより、ユーザは、前記身体画像４０１の各身体部位毎の画像と最購入商品画像６００とを照らし合わせて、似合っているか否かを一見して判断することが可能となり、ユーザに、気に入った商品を発見し易くする。
【００７９】
さて、Ｓ１０７において、ユーザが、各店識別情報毎の最購入商品画像６００を見ながら、所定の最購入商品画像６００ａ（例えば、「ショップＡ」の「上着画像」）を選択すると、前記店選択受付手段２０５は、当該最購入商品画像６００ａの選択を受け付けて（図３：Ｓ１０８ＹＥＳ）、その旨を前記サーバコンピュータ３の商品選択受付手段２０７に通知する。当該通知を受けた商品選択受付手段２０７は、前記表示受付手段２０１ａの画面に前記身体画像４０１が表示された状態で、他の最購入商品画像６００を消去するとともに、当該身体画像４０１の近傍に、選択された商品画像の店識別情報５０１に関連付けられた複数の商品画像５０２を、予め設定された個数だけ、前記表示受付手段２０１ａの画面上でスクロール移動可能に表示する。
【００８０】
前記商品選択受付手段２０７の商品画像の表示方法は、どのような方法でも構わないが、先ず、前記商品選択受付手段２０７は、前記店商品記憶手段２０６の店商品テーブル５００を参照し、選択された最購入商品画像６００ａの店識別情報５０１（「ショップＡ」）に関連付けられた商品画像５０２を、購入量５０３の高い順番に取得する。
【００８１】
次に、前記商品選択受付手段２０７は、取得した商品画像５０２のサイズを、前記全体画像４００の上端部のサイズに対応するサイズ、例えば、予め設定された第二の正方形のサイズ（例えば、１５ｍｍ×１５ｍｍ）に変更する。ここで、前記第二の正方形のサイズは、前記第一の正方形のサイズと同様に、ユーザの指先の押下領域が含まれるサイズで、ユーザが選択し易いサイズである。そして、前記商品選択受付手段２０７は、前記表示受付手段２０１ａの画面に前記身体画像４０１が表示された状態で、他の最購入商品画像（例えば、ヘアースタイル画像、スカート画像等）を消去するとともに、当該身体画像４０１の近傍に、サイズが変更された商品画像５０２を、購入量５０３の高い順番に従って、予め設定された個数（例えば、６個）だけ、前記表示受付手段２０１ａの画面上でスクロール移動可能に表示する（図３：Ｓ１０９）。
【００８２】
前記タッチパネル５ａには、図７に示すように、前記全体画像４００の身体画像４０１が表示された状態で、上端部に、所定の店識別情報の商品画像７００が、購入量の高い順番で、左方から右方に並べられて移動可能に表示される。
【００８３】
これにより、ユーザが、気になった商品画像６００を選択すれば、当該選択が店の選択となり、選択された商品画像６００の商品を販売する店の商品画像７００が複数表示される。そのため、ユーザは、気になった商品を販売する店の販売商品を一見して確認することが出来る。又、購入量の高い順番で複数の商品画像７００が表示されるため、ユーザは、気になった最購入商品画像６００ａの商品を販売している店の売れ筋や流行を一見して確認することが出来るとともに、前記人気商品以外の商品であっても前記身体画像４０１に似合うか否かを容易に判断することが可能となる。
【００８４】
又、図６と同様に、前記スクロールキー７０１が、右上部に選択可能に表示されるとともに、各店識別情報毎の最購入商品画像６００を再度表示するための再表示画像７０２と、表示された身体画像４０１（又は後述する試着身体画像）の公開の指示を入力するための公開画像７０３と、背景画像変更の指示を入力するための背景変更画像７０４と、商品購入の指示をするための購入画像７０５と、登録の指示を入力するための登録画像７０６とが左下部に選択可能に表示される。
【００８５】
さて、ユーザが、所定の店識別情報（「ショップＡ」）における商品画像７００を見ながら、所定の商品画像７００ａを選択すると、前記商品選択受付手段２０７は、当該商品画像７００ａの選択を受け付けて、当該商品画像７００ａの商品についての詳細を記載した商品詳細画面を、身体画像４０１の前面に表示する。
【００８６】
前記商品詳細画面８００には、図８に示すように、選択された商品画像７００ａの拡大図８０１が表示されるとともに、当該商品画像７００ａの商品の詳細文８０２、例えば、商品名、ブランド名、店識別情報（「ショップＡ」）の店名（店舗名）、販売価格、販売数量、販売残量、当該商品についての店員又は店長のコメント（感想）など
と、当該商品詳細画面８００を消去するための消去キー８０３とが表示される。
【００８７】
これにより、ユーザは、選択した商品画像７００ａの詳細を簡単に知ることが可能となる。尚、ユーザが、前記消去キー８０３を選択することで、前記商品詳細画面８００は消去される。
【００８８】
ところで、Ｓ１１０において、図９に示すように、ユーザが、所定の商品画像７００ａを選択するとともに、当該商品画像７００ａを前記身体画像４０１上にスクロール移動させる（重ね合わせる）と（ドラッグアンドドロップ）、前記商品選択受付手段２０７は、前記商品画像７００ａが前記身体画像４０１上にスクロール移動されたことを検知して（図３：Ｓ１１０ＹＥＳ）、その旨を商品試着手段２０８に通知する。当該通知を受けた商品試着手段２０８は、スクロール移動された商品画像７００ａを当該身体画像４０１に試着させて、試着後の試着身体画像９００を、前記表示受付手段２０１ａの画面に表示させる（図３：Ｓ１１１）。
【００８９】
例えば、前記商品試着手段２０８が、表示された身体画像４０１のうち、スクロール移動された商品画像７００ａの身体部位情報と一致する身体部位情報の画像を検索し、検索した画像のうち、身体の色（肌色）とは異なる色の画像領域を装飾品画像として識別する。次に、前記商品試着手段２０８は、識別した装飾品画像を消去するとともに、消去された部分に、スクロール移動された商品画像７００ａを重ね合わせ、当該重ね合わせた商品画像７００ａを前記身体画像４０１の身体形状に合致するように修正する。すると、前記商品画像７００ａを前記身体画像４０１に試着させた試着身体画像９００が合成される。そして、前記商品試着手段２０８は、前記試着身体画像９００を、前記身体画像受付手段２０３に入力し、当該身体画像受付手段２０３は、前記身体画像４０１から前記試着身体画像９００に前記表示受付手段２０１ａのタッチパネル５ａの画面表示を切り替える。
【００９０】
前記タッチパネル５ａには、図９に示すように、前記試着身体画像９００が、中央部に表示される。
これにより、ユーザが、所定の商品画像７００を身体画像４０１上にスクロール移動させれば、当該商品画像７００を試着した試着身体画像９００が表示されるため、ユーザは、気になった商品画像７００が本当に似合っているか否かを簡単に確認することが可能となる。更に、本発明では、店の選択から商品の試着シミュレーションまでの操作が２操作で済むとともに、前記身体画像４０１が表示された状態で、店の選択から商品の試着シミュレーションまでが実行されるため、ユーザの試着イメージが損なわれることがない。そのため、前記試着シミュレーションを短時間で済ませることが可能となるとともに、様々な店の商品を簡単に試着シミュレーションすることが可能となる。
【００９１】
又、前記タッチパネル５ａには、図９に示すように、選択された商品画像７００ａの代わりに、前記試着身体画像９００を、試着前の身体画像４０１に戻すためのリターン画像９０１が選択可能に表示される。前記リターン画像９０１の選択により、試着身体画像９００を試着前の身体画像４０１に戻すことが可能となる。
更に、前記商品試着手段２０８は、前記試着身体画像９００が表示される際に、当該試着身体画像９００に試着された商品画像７００ａの商品の販売価格９０２を、当該試着身体画像９００の近傍（例えば、右上部）に表示させる。これにより、ユーザは、試着後の商品画像７００ａの販売価格９０２を簡単に確認することが可能となる。
【００９２】
さて、ユーザが、前記試着身体画像９００を見ながら、前記再表示画像７０２を選択すると、前記商品選択受付手段２０７が、当該再表示画像７０２の選択を受け付けて、前記試着身体画像９００が表示された状態で、表示させた商品画像７００を消去し、その旨を店選択受付手段２０５に通知する。当該通知を受けた店選択受付手段２０５は、先ほど表示させていた各店識別情報毎の最購入商品画像６００を再表示する。
【００９３】
次に、ユーザが、先ほど選択した最購入商品画像６００ａと異なる他の最購入商品画像６００（例えば、スカート画像）を選択すると、前記店選択受付手段２０５が、当該他の最購入商品画像の選択を受け付け、前記商品選択受付手段２０７が、前記試着身体画像９００が表示された状態で、上述と同様に、当該試着身体画像９００の近傍に、選択された他の最購入商品画像の店識別情報（例えば、「ショップＣ」）に関連付けられた商品画像７００をスクロール移動可能に表示する。
そして、ユーザが、他の商品画像（スカート画像）を前記試着身体画像９００にスクロール移動すると、前記商品試着手段２０８が、更に、新たにスクロール移動された他の商品画像を前記試着身体画像９００に試着させる。
【００９４】
ここで、前記商品試着手段２０８が、当該他の商品画像が試着される身体部位が、所定の商品画像が既に試着された試着身体画像９００の身体部位と一致するか否かを判定する。そして、前記判定の結果、両者が一致する場合に、前記商品試着手段２０８が、前記試着身体画像９００から前記商品画像を消去して、前記他の商品画像を当該試着身体画像９００に試着させ、新たな試着身体画像を、前記表示受付手段２０１ａに表示させる。この場合は、例えば、ユーザが、上着画像を試着させた試着身体画像９００に、更に、異なる上着画像を試着させようとした場合が該当する。
【００９５】
一方、前記判定の結果、前記他の商品画像が試着される身体部位が、所定の商品画像が既に試着された試着身体画像の身体部位と不一致の場合に、前記商品試着手段２０８が、前記他の商品画像を前記試着身体画像９００に更に試着させる。つまり、前記商品試着手段２０８が、前記試着身体画像９００のうち、前記他の商品画像の身体部位情報と一致する身体部位情報の画像を検索し、検索した画像から装飾品画像を識別して、識別した装飾品画像を消去し、消去された部分に前記他の商品画像を重ね合わせて新たな試着身体画像を合成する。そして、新たに合成された試着身体画像が、前記表示受付手段２０１ａにより、上述と同様に、タッチパネル５ａ上に表示される。この場合は、例えば、上着画像を試着させた試着身体画像９００に、種類の異なるスカート画像を試着させようとした場合が該当する。
【００９６】
このように、定常的に表示される身体画像４０１又は試着身体画像９００に、販売先の店が異なる二つの商品画像を試着させることで、ユーザに、身体画像４０１又は試着身体画像９００の試着イメージを壊すことなく、当該身体画像４０１又は当該試着身体画像９００に似合う商品画像を見つけ易くすることが可能となる。又、各店毎の商品画像を組み合わせた場合の試着身体画像を表示させることで、ユーザに新たな商品の組み合わせを発見することが可能となる。
【００９７】
尚、複数の商品画像が前記試着身体画像９００に試着されている場合に、前記商品試着手段２０８は、各商品画像毎の販売価格とともに、各商品画像毎の販売価格の合計価格を、当該試着身体画像９００の近傍（例えば、右上部）に表示させる。これにより、ユーザは、試着を楽しみながら、現時点での商品画像の合計金額を容易に確認することが可能となる。
【００９８】
ところで、Ｓ１０９又はＳ１１１において、ユーザが、携帯端末装置２ａのタッチパネル５ａ上の身体画像４０１又は試着身体画像９００を見ながら、前記公開画像７０３を選択すると、前記商品選択受付手段２０７が、当該公開画像７０３の選択を受け付けて、前記サーバコンピュータ３の画像公開手段２０９にその旨を通知する。当該通知を受けた画像公開手段２０９は、前記タッチパネル５ａ上に、前記身体画像４０１又は前記試着身体画像９００の閲覧許可のための閲覧許可パスワードの入力欄と、当該閲覧許可パスワードを入力するためのキーボードキーと、ＯＫキーとを表示して、当該閲覧許可パスワードの入力を受け付ける。
【００９９】
そこで、ユーザが、前記キーボードキーを利用して、前記閲覧許可パスワード（例えば、「ＡＢＣ」）を前記入力欄に入力し、前記ＯＫキーを選択すると、前記画像公開手段２０９は、前記閲覧許可パスワードの入力を受け付け、前記ユーザ情報管理手段２０２から所定のユーザ情報（例えば、氏名「ユーザＡ」）を取得するとともに、当該閲覧許可パスワードを、当該ユーザ情報と関連付けて、所定の閲覧許可メモリに記憶させる。これにより、閲覧対象となる端末装置のユーザ情報と閲覧許可パスワードとが関連付けて記憶される。
【０１００】
ここで、例えば、他のユーザが、前記ユーザから、前記閲覧許可パスワード（「ＡＢＣ」）を教えてもらい、他の携帯端末装置２ｂに電源を入れて、当該他の携帯端末装置２ｂのタッチパネル５ｂに対応する表示受付手段２０１ｂに、サーバコンピュータ３へのアクセス指示を入力し、前記携帯端末装置２ａの表示受付手段２ａの前記身体画像４０１又は前記試着身体画像９００の閲覧を試みる。
【０１０１】
すると、前記表示受付手段２０１ｂが、前記サーバコンピュータ３の画像公開手段２０９にその旨を通知し、当該通知を受けた画像公開手段２０９は、前記他の携帯端末装置２ｂのタッチパネル５ｂ上に、閲覧対象となる端末装置のユーザ情報の入力欄と、所定の閲覧許可パスワードの入力欄と、キーボードキーと、ＯＫキーとを表示する。
【０１０２】
ここで、他のユーザが、前記キーボードキーを利用して、閲覧対象のユーザ情報（氏名「ユーザＡ」）と、先ほど教えてもらった閲覧許可パスワード（「ＡＢＣ」）とを所定の入力欄にそれぞれ入力し、前記ＯＫキーを選択すると、前記画像公開手段２０９は、当該ユーザ情報（氏名「ユーザＡ」）と、当該閲覧許可パスワード（「ＡＢＣ」）との入力を受け付けて、入力されたユーザ情報及び閲覧許可パスワードが、前記閲覧許可メモリに記憶されたユーザ情報及び閲覧許可パスワードとそれぞれ一致するか否かを判定する。
【０１０３】
前記判定の結果、入力されたユーザ情報又は閲覧許可パスワードが、前記閲覧許可メモリに記憶されたユーザ情報又は閲覧許可パスワードと不一致の場合、前記画像公開手段２０９は、入力されたユーザ情報及び閲覧許可パスワードを消去し、他のユーザから新たなユーザ情報及び閲覧許可パスワードの入力を受け付ける。
【０１０４】
一方、前記判定の結果、入力されたユーザ情報及び閲覧許可パスワードが、前記閲覧許可メモリに記憶されたユーザ情報及び閲覧許可パスワードとそれぞれ一致する場合、前記画像公開手段２０９は、一致したユーザ情報に対応する携帯端末装置２ａと、前記他の携帯端末装置２ｂとを通信可能に接続する。そして、前記画像公開手段２０９は、前記携帯端末装置２ａの表示受付手段２０１ａの画面上に表示された試着身体画像９００（又は身体画像４０１）を、他の携帯端末装置２ｂの表示受付手段２０１ｂに表示し、当該他の携帯端末装置２ｂから閲覧可能とする。
【０１０５】
これにより、ユーザは、他のユーザ、例えば、ユーザの知り合いや友人、親戚などに、自己が試着シミュレーションをした結果を示すことが可能となる。又、前記閲覧許可パスワードを設定することにより、ユーザの個人情報を保護し、セキュリティを高めることが可能となる。
【０１０６】
ここで、前記画像公開手段２０９が、前記携帯端末装置２ａと前記他の携帯端末装置２ｂとを通信可能に接続した際に、メッセージの入出力を可能とするメッセージ入出力手段が、前記携帯端末装置２ａ及び前記他の携帯端末装置２ｂにそれぞれ備えられている場合に限り、当該他の携帯端末装置２ｂに前記試着身体画像９００（又は身体画像４０１）を閲覧可能とした状態で、前記携帯端末装置２ａと前記他の携帯端末装置２ｂとの間のメッセージの双方向同時通信を可能とする。
【０１０７】
例えば、前記携帯端末装置２ａのメッセージ入出力手段が、タッチパネル５ａである表示受付手段２０１ａに対応し、前記他の携帯端末装置２ｂのメッセージ入出力手段が、タッチパネル５ｂである表示受付手段２０１ｂに対応する場合、前記画像公開手段２０９が、前記携帯端末装置２ａと前記他の携帯端末装置２ｂとを通信可能に接続した際に、前記携帯端末装置２ａの表示受付手段２０１ａ及び前記他の携帯端末装置２ｂの表示受付手段２０１ｂに表示された試着身体画像９００の近傍（例えば、右下部）に、所定のメッセージを入力するメッセージ入力欄と、他の装置から入力されたメッセージを出力するメッセージ出力欄と、キーボードキーと、ＯＫキーとをそれぞれ表示する。
【０１０８】
ここで、他のユーザは、ユーザの試着身体画像９００を見ながら、前記キーボードキーを利用して、所定のメッセージ（例えば、「似合うよ」）を前記メッセージ入力欄に入力し、ＯＫキーを選択すると、前記画像公開手段２０９が、前記他の携帯端末装置２ｂの表示受付手段２０１ｂから当該メッセージの入力を受け付けて、当該メッセージを、前記携帯端末装置２ａの表示受付手段２０１ａのメッセージ出力欄に表示する。
前記タッチパネル５ａには、図１０に示すように、前記試着身体画像９００の右下部のメッセージ出力欄に、前記メッセージ１０００が表示される。
【０１０９】
更に、ユーザが、前記表示受付手段２０１ａのメッセージ出力欄に出力されたメッセージ（「似合うよ」）に対して、前記キーボードキーを利用して、所定のメッセージ（例えば、「有難う」）を前記メッセージ入力欄に入力し、ＯＫキーを選択すると、前記画像公開手段２０９が、前記携帯端末装置２ａの表示受付手段２０１ａから当該メッセージの入力を受け付けて、当該メッセージを、前記他の携帯端末装置２ｂの表示受付手段２０１ｂのメッセージ出力欄に表示する。
このように、ユーザは、他のユーザから前記試着身体画像９００に対する意見を聞いたり、他のユーザにメッセージを発したりすることが可能となり、ユーザと他のユーザとの間で、前記試着身体画像９００に基づく会話を視覚的に楽しむことが可能となる。
【０１１０】
更に、前記画像公開手段２０９は、前記携帯端末装置２ａと前記他の携帯端末装置２ｂとの間のメッセージの双方向同時通信を可能とした際に、他のユーザの顔画像を撮影する画像撮影手段２０４ｂが前記他の携帯端末装置２ｂに備えられている場合に限り、当該他の携帯端末装置２ｂに前記試着身体画像９００（又は身体画像４０１）を閲覧可能とした状態で、当該携帯端末装置２ａに通信されるメッセージの近傍に、当該他の携帯端末装置２ｂの顔画像を表示する。
【０１１１】
例えば、前記画像公開手段２０９が、前記携帯端末装置２ａの表示受付手段２０１ａに、所定のメッセージを表示する際に、前記他の携帯端末装置２ｂの画像撮影手段２０４ｂを起動し、当該画像撮影手段２０４ｂが撮影する他のユーザの顔画像（写真）を取得して、当該取得した他のユーザの顔画像１００１を、図１０に示すように、前記メッセージ１０００の近傍に表示する。これにより、ユーザは、他のユーザの顔画像を確認しながら、メッセージを楽しむことが可能となる。
【０１１２】
尚、例えば、ユーザの顔画像を撮影する画像撮影手段２０４ｂが前記携帯端末装置２ａにも備えられている場合に限り、前記他の携帯端末装置２ｂに前記試着身体画像９００（又は身体画像４０１）を閲覧可能とした状態で、当該他の携帯端末装置２ｂに通信されるメッセージの近傍に、当該携帯端末装置２ａの顔画像を表示するよう構成しても構わない。これにより、ユーザと他のユーザとは、あたかも一対一で会話しているような感覚で、メッセージを送ることが可能となる。
【０１１３】
ところで、上述では、前記メッセージ入出力手段が、前記携帯端末装置２ａ及び前記他の携帯端末装置２ｂにそれぞれ備えられている場合に、前記携帯端末装置２ａと前記他の携帯端末装置２ｂとの間のメッセージの双方向同時通信を可能としたが、他の方法でも構わない。
【０１１４】
ここで、前記画像公開手段２０９が、前記携帯端末装置２ａと前記他の携帯端末装置２ｂとを通信可能に接続した際に、ユーザの音声の入出力を可能とする音声入出力手段２１１ａ、２１１ｂが前記携帯端末装置２ａ及び前記他の携帯端末装置２ｂにそれぞれ備えられている場合に限り、当該他の携帯端末装置２ｂに前記試着身体画像９００（又は身体画像４０１）を閲覧可能とした状態で、前記携帯端末装置２ａと前記他の携帯端末装置２ｂとの間の音声の双方向同時通信を可能としてもよい。
【０１１５】
例えば、前記携帯端末装置２ａの音声入出力手段２１１ａが、当該携帯端末装置２ａに予め備えられた小型マイク７ａ及び小型スピーカー７ａに対応し、前記他の携帯端末装置２ｂの音声入出力手段２１１ｂが、当該他の携帯端末装置２ｂに予め備えられた小型マイク７ｂ及び小型スピーカー７ｂに対応する場合、前記画像公開手段２０９が、前記携帯端末装置２ａと前記他の携帯端末装置２ｂとを通信可能に接続した際に、前記携帯端末装置２ａの音声入出力手段２１１ａ及び前記他の携帯端末装置２ｂの音声入出力手段２１１ｂを起動して、両者間の音声の双方向同時通信を可能とする。これにより、ユーザと他のユーザとの間で、前記試着身体画像９００に基づく会話を聴覚的に楽しむことが可能となる。
【０１１６】
ところで、Ｓ１０９又はＳ１１１において、ユーザが、携帯端末装置２ａのタッチパネル５ａ上の試着身体画像９００（又は身体画像４０１）を見ながら、前記背景変更画像７０４を選択すると、前記商品選択受付手段２０７が、当該背景変更画像７０４の選択を受け付けて、その旨を前記身体画像受付手段２０３に通知する。当該通知を受けた身体画像受付手段２０３は、前記表示受付手段２０１ａの画面に表示された試着身体画像９００以外の他の画像である背景画像４０２を、予め登録された他の背景画像に変更する。
【０１１７】
例えば、前記身体画像受付手段２０３が、予め登録された他の背景画像に対応する名称（例えば、国内の遊園地の名称「東京ディズニーランド」、国外の遊園地の名称など）を、前記表示受付手段２０１ａの画面に選択可能に表示し、ユーザからの選択を受け付ける。
【０１１８】
ユーザが、所定の名称（例えば、国内の遊園地の名称「東京ディズニーランド」）を選択すると、前記身体画像受付手段２０３は、当該名称の選択を受け付けて、前記試着身体画像９００の背景画像４０２から、選択された名称に対応する他の背景画像に変更する。
これにより、ユーザは、所定の商品画像の選択を検討する際に、様々な背景画像（場面）に似合う商品画像を検討することが可能となり、試着後の試着身体画像に対して所定の背景画像で似合っているか否かを簡単に判断することが可能となる。
【０１１９】
ここで、前記他の背景画像は、どのような背景画像でも構わないが、例えば、国内外の遊園地、国内外の動物園、国内外の水族館、国内外の博物館、国内外の公園、国内外の海、国内外の山、国内外の飲食店、国内外の美術館、宇宙、海底、仮想の空間などの他の背景画像が含まれる。
【０１２０】
ところで、Ｓ１０９又はＳ１１１において、ユーザが、携帯端末装置２ａのタッチパネル５ａ上の試着身体画像９００（又は身体画像４０１）を見ながら、前記購入画像７０５を選択すると（図３：Ｓ１１２ＹＥＳ）、前記商品選択受付手段２０７は、当該購入画像７０５の選択を受け付けて、その旨を商品購入決済手段２１０に通知する。当該通知を受けた商品購入決済手段２１０は、前記商品購入の指示を受けて、前記表示受付手段２０１ａの画面に前記試着身体画像が表示されているか否かを判定する。
【０１２１】
前記判定の結果、前記表示受付手段２０１ａの画面に前記試着身体画像９００が表示されていない場合、つまり、身体画像４０１が表示されており、何ら商品画像が試着されていない場合、前記商品購入決済手段２１０は、何もすることなく、前記表示受付手段２０１ａにエラーを表示する。
【０１２２】
一方、前記判定の結果、前記表示受付手段２０１ａの画面に前記試着身体画像９００が表示されている場合、前記商品購入決済手段２１０は、当該試着身体画像９００に試着された商品画像の商品の購入決済（代金決済）を実行する（図３：Ｓ１１３）。
ここで、前記商品購入決済手段２１０が前記商品の購入決済を実行する際に、前記ユーザ情報管理手段２０２が、前記表示受付手段２０１ａのタッチパネル５ａの画面に、前記ユーザ情報の入力欄と、前記パスワードの入力欄と、所定のキーボードキーと、ＯＫキーとを表示することで、ユーザ認証を実行する。
【０１２３】
ユーザが、前記キーボードキーを利用して、所定のユーザ情報（氏名「ユーザＡ」）と、所定のパスワードとを所定の入力欄にそれぞれ入力し、前記ＯＫキーを選択すると、前記ユーザ情報管理手段２０２は、入力されたユーザ情報及びパスワードが、最初に受け付けたユーザ情報及びパスワードとそれぞれ一致するか否かを判定する。
【０１２４】
前記判定の結果、入力されたユーザ情報又はパスワードが、最初に受け付けたユーザ情報又はパスワードと不一致の場合、ユーザ認証が失敗し、前記ユーザ情報管理手段２０２は、前記商品購入決済手段２１０に前記商品の購入決済の実行を中止させる。これにより、ユーザ本人でないにも関わらず、商品が購入決済されるという事態を防止することが可能となる。
【０１２５】
一方、前記判定の結果、入力されたユーザ情報及びパスワードが、最初に受け付けたユーザ情報及びパスワードとそれぞれ一致する場合、ユーザ認証が成功し、前記ユーザ情報管理手段２０２は、前記商品購入決済手段２１０に前記商品の購入決済を実行させる（許可する）。これにより、ユーザ本人による確実な商品購入決済を可能とし、セキュリティを高めることが可能となる。
【０１２６】
さて、前記商品購入決済手段２１０が前記商品の購入決済を実行する場合、前記試着身体画像９００から試着された商品画像と、当該商品画像の店識別情報とを取得するとともに、前記ユーザ情報管理手段２０２からユーザ情報（例えば、住所、クレジット情報）を取得する。次に、前記商品購入決済手段２１０は、前記店識別情報の店の端末装置にアクセスし、前記ユーザ情報を利用して、前記商品画像の商品の購入決済を実行する。
【０１２７】
ここで、前記商品購入決済手段２１０は、ユーザにより前記サイズ情報（例えば、ウエスト５９などの商品決定情報）が入力されている場合に、入力されたサイズ情報に対応するサイズの商品の購入決済を実行する。これにより、ユーザによる商品のサイズを入力する手間を軽減することが可能となる。尚、前記サイズ情報は、前記商品購入決済手段２１０が前記商品の購入決済を実行する際に、ユーザに問い合わせるよう構成しても構わない。
【０１２８】
又、前記商品購入決済手段２１０は、前記試着身体画像９００に複数の商品画像が試着されている場合に、複数の商品画像の購入決済を、対応する各店識別情報毎にそれぞれ実行することで、一回の前記指示により、全ての商品画像の商品の購入決済を実行する。
例えば、前記試着身体画像９００に試着された商品画像が、所定の店識別情報（「ショップＡ」）の商品画像と、他の店識別情報（「ショップＢ」）の商品画像とである場合、前記商品購入決済手段２１０は、一回の前記指示により、前記商品画像の商品の購入決済を各店識別情報毎にそれぞれ実行する。これにより、ユーザによる各店毎の商品購入決済の手間を著しく軽減することが可能となる。
【０１２９】
尚、前記商品購入決済手段２１０が、全ての商品画像の商品の購入決済を実行する場合、通常、全ての商品画像の商品を、各１部毎に購入決済するが、必要に応じて、ユーザに、各商品画像毎に商品の購入量を問い合わせるよう構成しても構わない。
又、前記商品購入決済手段２１０は、例えば、前記ユーザ情報のクレジット情報に基づいて全ての商品画像の商品の購入決済を実行するが、他の方法、例えば、銀行振り込み、着払い、コンビニ決済などの方法で購入決済を実行しても構わない。
【０１３０】
さて、前記商品購入決済手段２１０は、前記商品の購入決済が完了すると、完了した前記店商品記憶手段２０５の店商品テーブル５００の商品画像の購入量を、ユーザにより購入された量（例えば、１）だけ各店識別情報毎にそれぞれ増加させる（図３：Ｓ１１４）。
これにより、ユーザは、試着シミュレーションで試着した商品を簡単に購入決済することが可能となるとともに、注文された商品の購入量を前記店商品テーブル５００に反映することが可能となる。
【０１３１】
ところで、Ｓ１０９又はＳ１１１において、ユーザが、携帯端末装置２ａのタッチパネル５ａ上の身体画像４０１又は試着身体画像９００を見ながら、前記登録画像７０６を選択すると、前記ユーザ情報管理手段２０２は、前記表示受付手段２０１ａから、当該登録画像７０６の選択を受け付けて、最初に入力を受け付けたユーザ情報及びパスワードと、当該表示受付手段２０１ａの画面上に表示された身体画像４０１又は試着身体画像９００とを関連付けて身体画像記憶手段２１１に記憶させる。これにより、前記ユーザ情報に対する前記身体画像４０１又は試着身体画像９００が登録される。
【０１３２】
又、前記店選択受付手段２０５が、入力されたキーワードの全部又は一部に一致するキーワードと関連付けられた店識別情報の最購入商品画像を、他の最購入商品画像よりも優先的に表示する場合、つまり、前記店選択受付手段２０５が、ユーザから所定のキーワード（「綺麗」）の入力を受け付けている場合に、前記ユーザ情報管理手段２０２は、更に、入力されたキーワードを、前記ユーザ情報と、前記パスワードと、前記身体画像又は試着身体画像とに関連付けて、前記身体画像記憶手段２１１に記憶させる。これにより、ユーザにより既に入力されたキーワードが登録される。
【０１３３】
更に、前記商品購入決済手段２１０が、所定の商品画像の商品の購入決済を完了した場合に、前記ユーザ情報管理手段２０２は、更に、購入決済が完了した商品の商品画像を、前記ユーザ情報と、前記パスワードと、前記身体画像又は試着身体画像とに関連付けて、前記身体画像記憶手段２１１に記憶させる。これにより、ユーザにより既に購入決済された商品画像が登録される。
【０１３４】
ここで、ユーザが、例えば、前記携帯端末装置２ａの電源を落とし、再度、当該携帯端末装置２ａの電源を投入し、前記表示受付手段２０１ａに、サーバコンピュータ３へのアクセス指示を入力すると、当該アクセス指示を受信したユーザ情報管理手段２０２は、ユーザの操作により、前記表示受付手段２０１ａから、ユーザ情報と、パスワードとの入力を受け付ける（図３：Ｓ１０１）。
【０１３５】
そして、ユーザが、適切なユーザ情報及びパスワードを入力すると、前記ユーザ情報管理手段２０２が、前記表示受付手段２０１ａを介して、前記ユーザ情報及び前記パスワードの入力を受け付け、前記身体画像受付手段２０３に所定の身体画像の入力受付を実行させるとともに、所定の呼出キーの選択を受け付ける（図３：Ｓ１０２）。
【０１３６】
ここで、ユーザが、前記呼出キーを選択すれば、前記ユーザ情報管理手段２０２が、当該呼出キーの選択を受け付けて、前記身体画像記憶手段２１１を参照し、先ほど入力されたユーザ情報と前記パスワードとに関連付けられた当該身体画像記憶手段２１１の試着身体画像９００（又は身体画像４０１）を取得する。そして、前記ユーザ情報管理手段２０２は、前記取得した試着身体画像９００を、前記身体画像受付手段２０３に入力する。すると、前記身体画像受付手段２０３は、前記携帯端末装置２ａの表示受付手段２０１ａの画面に、入力された試着身体画像９００を表示させる。
【０１３７】
これにより、一度、身体画像又は試着身体画像を登録しておけば、登録時の身体画像又は試着身体画像を簡単に呼び出すことが可能となり、ユーザは、登録時から、試着シミュレーションを簡単に再開することが可能となる。尚、前記試着身体画像は、一度、試着させた商品画像、例えば、洋服画像、メイク画像、ヘアースタイル画像、ネイル画像を含んでいる。
【０１３８】
又、前記ユーザ情報管理手段２０２は、入力されたユーザ情報とパスワードとに関連付けられた前記身体画像記憶手段２１１のキーワード（「綺麗」）を、前記店選択受付手段２０５に入力する。すると、当該店選択受付手段２０５は、入力されたキーワードの全部又は一部に一致する前記店商品記憶手段２０６のキーワードと関連付けられた店識別情報の最購入商品画像を、他の最購入商品画像よりも優先的に表示することになる。
これにより、一度、入力したキーワードも登録しておけば、登録時に優先的に表示されていた所定の店の最購入商品画像を簡単に再現することが可能となる。例えば、ユーザが、興味や行為のあるブランド名やショップ名をキーワードとして一度入力して登録しておけば、これらに関連する最購入商品画像を簡単に呼び出すことが可能となる。
【０１３９】
又、前記ユーザ情報管理手段２０２は、入力されたユーザ情報とパスワードとに関連付けられた前記身体画像記憶手段２１１の商品画像を、前記店選択受付手段２０５又は前記商品選択受付手段２０７に表示させる。すると、前記店選択受付手段２０５は、購入決済が完了した商品の商品画像を選択可能に表示するか、前記商品選択受付手段２０７は、当該商品画像を前記表示受付手段２０１ａの画面上でスクロール移動可能に表示することになる。これにより、ユーザが過去に購入した商品画像を用いて、再度、試着をしてみたり、他の新しい商品画像との組み合わせを試みたりすることが可能となる。
【０１４０】
ところで、Ｓ１０７において、ユーザが、各店識別情報毎の最購入商品画像６００を見ながら、手に装着可能な最購入商品画像６００ｄ（例えば、「ネイル画像」）を選択すると、前記店選択受付手段２０５は、手に装着可能な最購入商品画像６００ｄの選択を受け付けて（図３：Ｓ１０８ＹＥＳ）、その旨を前記商品選択受付手段２０７に通知する。当該通知を受けた商品選択受付手段２０７は、前記表示受付手段２０１ａの画面に前記身体画像４０１が表示された状態で、他の最購入商品画像６００を消去するとともに、当該身体画像４０１の近傍に、選択された商品画像の店識別情報５０１に関連付けられた複数の商品画像５０２を、予め設定された個数だけ、前記表示受付手段２０１ａの画面上でスクロール移動可能に表示する（図３：Ｓ１０９）。
【０１４１】
ここで、前記商品選択受付手段２０７は、選択された商品画像が、身体画像のうち、手、足、目、唇などの局部的な身体部位の画像に装着される商品画像である場合に、表示された身体画像４０１の前面に、当該商品画像を試着可能な局部的身体部位画像を表示する。
例えば、局部的な身体部位の画像に装着される商品画像として、手に装着可能なネイル画像６００ｄが選択されると、図１１に示すように、選択されたネイル画像６００ｄの店（例えば、ネイルショップ）に関連付けられた複数のネイル画像１１００が画面上でスクロール可能に表示されるとともに、今まで表示されていた身体画像４０１の前面に、手の画像１１０１が、当該ネイル画像１１００を装着可能な局部的身体部位画像として表示される。
【０１４２】
これにより、局部的な身体部位に装着される商品画像６００を選択したとしても、当該商品画像６００に対応する局部的身体部位の画像が表示されるため、局部的身体部位の画像に似合う商品画像をコーディネートすることが可能となる。
【０１４３】
尚、前記局部的身体部位画像１１０１は、例えば、前記身体画像受付手段２０３が、前記表示受付手段２０１ａから、ユーザの操作により、装飾品を着用した身体画像の入力を受け付ける際に、ユーザにより画像撮影手段２０４ａから入力された局部的身体部位の画像（写真）でも良いし、予め登録された標準的な局部的身体部位画像（手の画像、足の画像、目の画像、唇の画像など）でも構わない。特に、前記局部的身体部位画像１１０１は、ユーザにより画像撮影手段２０４ａから入力された自身の局部的身体部位の画像であると好ましい。こうすることで、ネイルのように、例えば、手の肌の色や手の大きさによって似合うか否かが変わる商品画像であっても、対応することが可能となる。
【０１４４】
ここで、例えば、ユーザが、所定のネイル画像１１００を選択するとともに、当該ネイル画像１１００を前記局部的身体部位画像１１０１上にスクロール移動させると、前記商品選択受付手段２０７は、当該ネイル画像１１００が前記局部的身体部位画像１１０１上にスクロール移動されたことを検知する（図３：Ｓ１１０ＹＥＳ）。そして、前記商品試着手段２０８は、スクロール移動されたネイル画像１１００を当該局部的身体部位画像１１０１に試着させて、試着後の試着局部的身体部位画像を、前記表示受付手段２０１ａの画面に表示させる（図３：Ｓ１１１）。
【０１４５】
これにより、局部的な身体部位であっても、ユーザは、商品画像を試着させて、気になった商品画像が本当に似合っているか否かを簡単に確認することが可能となる。
ここで、前記商品試着手段２０８が、前記ネイル画像１１００を前記手の画像１１０１（局部的身体部位画像）に試着させる場合、当該手の画像１１０１のうち、各指の爪毎にネイル画像１１００を試着（適用）させても良いし、全ての指の爪に、同一のネイル画像１１００を試着させても構わない。特に、前記手の画像１１０１のうち、スクロール移動されたネイル画像１１００と重なった指の爪の画像に、当該ネイル画像１１００を試着させることで、当該手の画像１１０１のうち、各指の爪毎にネイル画像１１００を試着させるよう構成すると、様々なネイル画像１１００を手の指の爪に試着させることが可能となり、様々なネイル画像１１００が手に似合うか否かを検討することが可能となる。
【０１４６】
尚、上記では、手の画像１１０１であったが、足の指の爪にもネイルを適用させるため、当該手の画像１１０１を足の画像としても、同様の作用効果を奏する。
【０１４７】
このように、本発明の商品試着システム１では、前記携帯端末装置２ａが、前記表示受付手段２０１ａを備え、前記サーバコンピュータ３が、前記店商品記憶手段２０６と、前記身体画像受付手段２０３と、前記店選択受付手段２０５と、前記商品選択受付手段２０７と、前記商品試着手段２０８とを備える。
【０１４８】
これにより、前記身体画像とともに、様々な店の商品画像が表示されるため、ユーザは、視覚を使って当該身体画像に似合う商品を簡単に見つけることが可能となる。又、ユーザが、気になった商品画像を選択すれば、当該選択が店の選択となり、選択された商品画像の商品を販売する店の商品画像が複数表示される。そのため、ユーザは、気になった商品を販売する店の販売商品を一見して確認することが出来る。そして、ユーザが、所定の商品画像を身体画像上にスクロール移動させれば、当該商品画像を試着した試着身体画像が表示されるため、ユーザは、気になった商品画像が本当に似合っているか否かを簡単に確認することが可能となる。
【０１４９】
更に、本発明では、店の選択から商品の試着シミュレーションまでの操作が２操作で済むとともに、前記身体画像が表示された状態で、店の選択から商品の試着シミュレーションまでが実行されるため、ユーザの試着イメージが損なわれることがない。そのため、前記試着シミュレーションを短時間で済ませることが可能となるとともに、様々な店の商品を簡単に試着シミュレーションすることが可能となる。
【０１５０】
尚、本発明の実施形態に係る商品試着システム１では、更に、他の手段を備えるよう構成しても構わない。例えば、前記サーバコンピュータ３は、更に、ユーザの操作により、前記表示受付手段２０１ａから、ユーザが所有する商品の自己商品画像の入力を受け付け、前記表示受付手段２０１ａの画面に表示される最購入商品画像又は商品画像とともに、受け付けた自己商品画像を選択可能に表示する自己商品選択受付手段を備えるよう構成してもよい。これにより、各店識別情報毎の商品画像の他に、自己の商品画像を含めて、前記身体画像４０１又は前記試着身体画像９００に似合うか否かを検討することが可能となり、ファッションの総合的なコーディネートをすることが可能となる。
【０１５１】
又、本発明の実施形態に係る商品試着システム１では、前記身体画像が、細身の女性である場合であったが、これに限られるものではない。
例えば、前記身体画像が、結婚予定の成人の身体画像である場合、前記商品画像が、ウェディングドレス画像、白無垢画像、お色直し用ドレス画像、着物画像、ヘアースタイル画像、ブーケ画像、ティアラ画像、ベール画像、ヒール画像、スーツ画像、袴画像のいずれかを含むよう構成しても構わない。例えば、前記身体画像が、結婚予定の女性の成人の身体画像であれば、図１２に示すように、各店識別情報毎の商品画像には、上から、ティアラ画像、ベール画像、ヘアースタイル画像、ネイル画像、ブーケ画像、ウェディングドレス画像、お色直し用ドレス画像などが選択可能に表示される。更に、前記ウェディングドレス画像が選択されれば、図１３に示すように、結婚予定の女性の成人の身体画像が表示された状態で、他の商品画像が消去されるとともに、当該ウェディングドレス画像の店が販売する複数のウェディングドレス画像がスクロール移動可能に表示される。
【０１５２】
又、例えば、前記身体画像が、乳児、幼児、児童、少年、少女、青少年のいずれかの身体画像である場合、前記商品画像が、節句、お宮参り、誕生日、七五三、入学式、卒業式、成人式のいずれかの節目に着用する商品の商品画像を含むよう構成しても構わない。例えば、前記身体画像が、少年の身体画像であれば、図１４に示すように、各店識別情報毎の商品画像には、上から、入学式の洋服画像、警察官の演劇の洋服画像、侍の演劇の洋服画像、節句の洋服画像、七五三の洋服画像、ぬいぐるみの洋服画像、ハローウィンの洋服画像などが選択可能に表示される。例えば、前記身体画像が、少女の身体画像であれば、図１５に示すように、七五三の洋服画像が選択された場合、少女の身体画像が表示された状態で、選択された七五三の洋服画像の店が販売する複数の七五三の洋服画像がスクロール移動可能に表示される。
【０１５３】
又、本発明の実施形態に係る商品試着システム１では、前記商品選択受付手段２０７が、再表示画像７０２と、公開画像７０３と、背景変更画像７０４と、購入画像７０５と、登録画像７０６とを選択可能に表示したが、更に、他の機能を備える画像を選択可能に表示しても構わない。
例えば、前記商品選択受付手段２０７が、表示された身体画像４０１又は試着身体画像９００の肌色の変更の指示を入力するための肌色変更画像を選択可能に表示し、ユーザの操作により、前記表示受付手段２０１ａから、肌色の変更の指示が入力されると、前記商品選択受付手段２０７がその旨を前記身体画像受付手段２０３に通知する。当該通知を受けた身体画像受付手段は、前記表示受付手段２０１ａの画面に表示された身体画像４０１又は試着身体画像９００の色のうち、肌色を、予め登録された他の色、例えば、日焼け色、白色、黄色、黒色のいずれかを含む色に変更する。これにより、ユーザは、簡単に身体画像４０１又は試着身体画像９００の色を、試着商品画像や場面、好みに応じて変更することが可能となる。
【０１５４】
例えば、前記商品選択受付手段２０７が、ファッション雑誌などの商品画像を含む本の一ページを一ページ画像として選択可能に表示し、ユーザの操作により、前記表示受付手段２０１ａから、当該一ページ画像が選択されると、当該商品選択受付手段２０７が、選択された一ページ画像に含まれる商品画像に対応する店識別情報を取得する。そして、前記商品選択受付手段２０７は、取得した店識別情報に関連付けられた複数の商品画像を、予め設定された個数だけ、前記表示受付手段の画面上でスクロール移動可能に表示する。これにより、ユーザは、ファッション雑誌などの本の一ページに表示された商品を簡単に試着させることが可能となる。
【０１５５】
尚、本発明の実施形態に係る商品試着システム１では、前記商品選択受付手段２０７が、公開画像７０３と、背景変更画像７０４と、購入画像７０５と、登録画像７０６と、肌色変更画像と、一ページ画像とを選択可能に表示したが、前記店選択受付手段２０５が、公開画像７０３などを選択可能に表示するよう構成しても構わない。
【０１５６】
又、本発明の実施形態に係る商品試着システム１では、前記携帯端末装置２ａの表示受付手段２０１ａが、商品試着のシミュレーションの結果を表示するよう構成したが、他の構成でもよく、例えば、通常の端末装置であっても構わない。又、前記端末装置の表示受付手段が、更に、ミラーとして機能する、等身大のハーフミラータッチパネルであっても構わない。当該構成とすると、ブティックやフィッティングルームに、当該等身大のハーフミラータッチパネルを設置すれば、顧客であるユーザが簡単に試着シミュレーションを楽しむことが可能となる。
【０１５７】
又、本発明の実施形態に係る商品試着システム１では、前記試着身体画像９００が前記表示受付手段２０１ａに表示されるよう構成したが、例えば、所定の画像を所定のシート（用紙）に画像形成（印刷）する画像形成装置を、前記携帯端末装置２ａ又は前記サーバコンピュータ３に接続させ、ユーザの操作により、前記表示受付手段２０１ａから、印刷の指示が入力されると、前記画像形成装置が、表示された試着身体画像９００を所定のシートに印刷するよう構成してもよい。
【０１５８】
又、本発明の実施形態に係る商品試着システム１では、サーバコンピュータ３が、各手段を備えるよう構成したが、例えば、各手段に対応するプログラムを前記携帯端末装置の記憶手段に記憶させ、当該プログラムを実行することにより、当該携帯端末装置が、各手段を備えるよう構成しても構わない。当該構成としても、同一の作用効果を奏する。
【０１５９】
又、本発明の実施形態では、商品試着システムが各手段を備えるよう構成したが、当該各手段を実現するプログラム（例えば、アプリケーションソフト）を記憶媒体に記憶させ、当該記憶媒体を提供するよう構成しても構わない。当該構成では、前記プログラムを商品試着システム（例えば、携帯端末装置２、サーバコンピュータ３）に読み出させ、その商品試着システムが前記各手段を実現する。その場合、前記記録媒体から読み出されたプログラム自体が本発明の作用効果を奏する。さらに、各手段が実行するステップをハードディスクに記憶させる方法として提供することも可能である。
【０１６０】
実施の形態２．
以下、添付図面を参照しながら本発明を実施の形態２について説明するが、本発明はかかる実施形態のみに限定されるものではない。
本発明の実施の形態２に係る画像処理方法が適用されてなる画像処理システム(以下、単にシステムという)を図１６に示す。
【０１６１】
システム１２００は、図１６に示すように、複数の端末１２０１，１２０１，・・・と、複数の仮想店舗１２０２，１２０２，・・・と、ソーシャルネットワークを統括するサーバ１２０３と、通信網１２０４、例えばインターネットとを主要構成要素として備えてなるものとされる。
端末１２０１は、固定端末および携帯端末を含むものとされる。
【０１６２】
端末１２０１は、図１７に示すように、サーバ１２０３からの画像などを表示する表示手段１２１１と、サーバ１２０３から画像データなどをダウンロードするダウンロード手段１２１２と、加工編集した画像データなどをアップロードするアップロード手段１２１３と、画像加工編集手段１２１４と、文字データ生成編集手段１２１５と、音声データ生成編集手段１２１６と、メモリ１２１７と、を備えてなるものとされる。なお、端末１２０１は、具体的には、前記各手段が実現されるようプログラムされたコンピュータとされる。
【０１６３】
表示手段１２１１は、例えば液晶表示装置とされる。
画像加工編集手段１２１４は、画像加工編集ソフトを中心に構成される。画像加工ソフトとしては、例えばＡｄｏｂｅ  Ｐｈｏｔｏｓｈｏｐ（アドビシステムズ社の登録商標）やＡｄｂｅ  Ｆｉｒｅｗｏｒｋｓ（アドビシステムズ社の登録商標）などがあげられる。
【０１６４】
文字データ生成編集手段３１５は、テキストエディタを中心に構成される。テキストエディタとしては、公知の各種ソフトがあげられる。
音声データ生成編集手段１２１６は、音声データ生成編集ソフトを中心に構成される。音声データ生成編集ソフトとしては、例えばＡＵＳ  Ａｕｄｉｏ  Ｅｄｉｔｏｒ（オンライン・メディア・テクノロジーズ社登録商標）があげられる。
【０１６５】
メモリ１２１７は、画像メモリ１２１７ａ、文字データメモリ１２１７ｂおよび音声データメモリ１２１７ｃを含むものとされる。
仮想店舗１２０２は、例えばフラワーショップ、ジュエリーショップ、アクセサリーショップ、フーズショップ、ワインショップ、リカーショップ、音楽配信ショップ、スゥィーツショップ、ピザショップ、ビューティーショップ、ブックショップなどとされ、表示された商品画像をクリックすると注文がなし得る公知のものと同様とされる。
【０１６６】
サーバ１２０３は、図１８に示すように、各端末１２０１および各仮想店舗１２０２からの信号およびデータの送受信を制御する送受信制御部１２３１と、画像の加工編集の拒否を判定する画像変更拒否判定部１２３２と、各ユーザのデータを保持するユーザデータ保持部１２３３と、および各仮想店舗１２０２のデータを保持する店舗データ保持部１２３４と、を備えてなるものとされる。なお、サーバ１２０３は、具体的には、前記各部を実現するようプログラムされたコンピュータとされる。
【０１６７】
次に、かかる構成とされたシステムＭにおける画像の加工編集について説明する。
手順１:端末１２０１を起動してサーバにアクセスする。
手順２:サーバ１２０３に保持されているターゲットとする友人のユーザデータ保持部１２３３から友人の画像データを端末１２０１に呼び出す。
【０１６８】
手順３:端末１２０１に呼び出した画像データから加工編集する画像を選択してサーバ１２０３に当該画像データを加工編集可能な状態での送信を要求する。つまり、画像データのダウンロード請求をする。
手順４:サーバ１２０３の画像変更可否判定部１２３２は、端末１２０１からの入力に基づいて当該ダウンロード請求の可否を判定する。
【０１６９】
手順５:画像変更可否判定部１２３２が、当該ダウンロード請求を可と判定した場合、サーバ１２０３の送受信制御部１２３１は、要求された画像データを加工編集可能な状態で要求元の端末１２０１に送信する。
手順６:端末１２０１の画像加工編集手段１２１４を起動する。
手順７:端末１２０１は、画像加工編集手段１２１４によりダウンロードした画像データを加工したり編集したりする。
【０１７０】
手順８:加工編集した画像データを端末１２０１からサーバ１２０３にアップロードする。
手順９:端末１２０１によりサーバ１２０３にアップロードした画像に対する当該友人やその他の友人の反応をウォッチする。
【０１７１】
次に、図を参照しながら画像の加工および編集について説明する。
図１９および図２０は、友人の顔面および頭部に加工および編集を施した事例である。
すなわち、図２０に示すように、頬に頬紅を塗り、目の周りに墨を塗り、頭を丸坊主にしたものである。
図２１は、友人の誕生を祝うように加工および編集を施した事例である。
【０１７２】
すなわち、図２１（ａ）に示すように、何もなかったテーブルに同（ｂ）に示すように、ピザ、ワインボトル、ワイングラス、花が生けられた花瓶が置かれた画像に加工編集がなされている。
ここで、ピザの図形、ワインボトルの図形、花瓶および花の図形は、それぞれリンクボタンとされ、ピザの図形などにマウスを置くとリンクカラーに反転し、次いでピザの図形などをクリックすると、リンク先の仮想店舗またはその店舗のホームページが別ウィンドウで開くようにされていて、その店舗またはホームページからピザなどの注文ができるようにされている。また、花やワインなどと表示しているラベルも同様にリンクボタンとされている。
【０１７３】
このような画像にリンクボタンを埋め込む技術や画像が表示されているウィンドウに別のホームページを別ウィンドウで開く技術は、ホームページ作成に係る公知のアプリケーションを好適に用いることができる。
また、加工編集された画像には、図２１（ｂ）に示すように、音楽ボタンおよびメッセージボタンも追加されている。音楽ボタンをクリックすると誕生日を祝う音楽がながれ、またメッセージボタンをクリックすると、誕生日を祝うメッセージが流れたり、メッセージが表示されたりする。メッセージは、例えば「ピザやワインの費用は当方が負担しますので、気兼ねなくご注文ください。」というようにされる。
【０１７４】
このような画像に音楽とリンクした音楽ボタンやメッセージとリンクしたメッセージボタンを埋め込む技術も、ホームページ作成に係る公知のアプリケーションを好適に用いることができる。
【０１７５】
以上、本発明を実施形態に基づいて説明してきたが、本発明はかかる実施形態のみに限定されるものではなく、種々改変が可能である。
例えば、友人が女性であれば、似合う髪形や衣装をリコメンドするとともに、髪形や衣装をリコメンドしたものに加工編集するようにされてもよい。
また、加工編集されてアップロードされた画像を別の友人が再度加工編集するようにされてもよい。
【０１７６】
このように、本発明によれば、ソーシャルネットワークにおいて友人の画像を加工編集
し、その加工編集した画像を当該友人のベージにアップロードするようにしているので、文字のみによるコミュニケーションよりコミュニケーション密度が向上する。
また、ソーシャルネットワークのアップロードされている画像を自由に加工編集できるので、嗜好性が向上する。例えば、親しい友人であれば、いたずら描きをすることもできる。
また、仮想店舗はソーシャルネットワーク内の仮想店舗に限定されるものではなく、他のネットワーク上の仮想店舗とされてもよい。
さらに、指定された画像は、当該指定をした本人または本人にかかわる画像とされてもよい。
【０１７７】
実施の形態３．
実施の形態１においては商品試着システムについて、実施の形態２においてはソーシャルネットワークを利用した友人とのコミュニケーションを楽しむための画像加工等を行うシステムについて開示した。本実施の形態３においては、これらのシステムの考え方を応用したデータ蓄積システムに関する実施形態について説明する。主には写真関係事業者が管理するシステムであって、管理者の顧客がこのシステムを使用するユーザとなることを想定している。なお、ここで写真関係事業者とは、顧客の依頼を受けて記念写真等を撮影し、あるいは現像や写真プリントを行う写真業者に加えて、カメラや写真プリント紙等の写真関連商品の製造者、またそれらの商品の小売業者を含み、いわゆる写真関連産業に関わる事業者全般を含むものである。
なお、実施の形態１および実施の形態２と同様、以下の実施形態は本発明を具体化した一例であって、これに限定されるものではない。
【０１７８】
＜システム構成＞
まず、本実施の形態に係るデータ蓄積システム１３００の構成を図２２に基づいて説明する。図２２に示すように、複数の端末装置１３０１と、サーバコンピュータ１３０３とを、インターネットなどのネットワーク１３０４を介して接続された構成である。必要に応じて衣類メーカ等の仮店舗１３０２や管理者端末１３０５を設ける。
【０１７９】
端末装置１３０１は実施の形態１で示した携帯端末装置であっても良いし、ノートブック型やデスクトップ型の一般のコンピュータであっても良い。端末装置１３０１は、キーボード、マウス、あるいはタッチパネル等の入力手段を有し、情報や画像を表示する表示手段、表示する情報を保持し演算等を行うために必要なメモリ、さらにネットワーク１３０４を介してサーバコンピュータ１３０３とデータを相互にやりとりする送受信機能を有するものであれば良い。
【０１８０】
サーバコンピュータ１３０３は、デスクトップ型の一般のコンピュータが好適であり、特に大量のデータを蓄積できるＨＤＤ（ＨＡＲＤ  ＤＩＳＫ  ＤＲＩＶＥ）等の大容量メモリを備えていることが望ましい。端末装置１３０１と同様に、ネットワーク１３０４を介してデータの送受信を行うことができる。
ネットワーク１３０４は、データを相互にやりとりできるインターネット等の双方向ネットワークである。本実施の形態に係る発明においても画像データをやりとりするため、高速のデータ通信が可能であることが望ましい。
【０１８１】
仮想店舗１３０２は必要に応じて設けられるもので、実施の形態１や２に示したように、表示された商品画像をクリックすると注文がなし得る公知のものと同様である。本実施の形態に係る発明においては、これら仮店舗として服飾店等を主に想定している。
管理者端末１３０５も必要に応じて設けられるものであって、例えば、サーバ管理者が居る場所とサーバコンピュータ１３０３が置かれている場所が離れている場合等において、サーバ管理者が管理者端末１３０５を用いてサーバコンピュータ１３０３を制御することができる。なお、本システムのサーバ管理者としては、上述したように写真関係事業者、あるいは写真関係事業者から委託を受けた管理業者が好適である。
【０１８２】
＜システム構成の詳細と動作＞
本システムの具体的な構成と動作について、図２３を用いて説明する。図２３は、システム構成を説明するブロック図である。本システムは、サーバ蓄積手段１３１０、顧客認証管理手段１３２０、アクセス権設定手段１３３０、顧客情報設定手段１３４０、日時指定送信手段１３５０、試着手段１３６０、アルバム作成手段１３７０、広告送信手段１３８０、データベース手段１３９０、アップロード手段１４００、およびダウンロード手段１４１０を有している。
【０１８３】
サーバ蓄積手段１３１０は、サーバコンピュータ１３０３に設けられたＨＤＤ等の大容量メモリである。管理の都合上、管理者端末１３０５のメモリをこのサーバ蓄積手段１３１０の一部として用いても構わない。ＤＶＤ（ＤＩＧＩＴＡＬ ＶＥＲＳＡＴＩＬＥ ＤＩＳＣ）やブルーレイディスクといった大容量の可換媒体を補助的に用いることも可能である。サーバ蓄積手段１３１０には、写真等データ１３１１、アクセス権情報１３１２、顧客情報１３１３、および試着用衣類等データ１３１４といったデータ群が保存されている。
【０１８４】
写真等データ１３１１は、写真のデータだけの場合もあるし、音声や写真以外の画像や動画データを含む場合もある。写真等の画像データは、ＪＰＥＧ（ＪＯＩＮＴ
ＰＨＯＴＯＧＲＡＰＨＩＣ ＥＸＰＥＲＴＳ ＧＲＯＵＰ）やＧＩＦ（ＧＲＡＰＨＩＣＳ ＩＮＴＥＲＣＨＡＮＧＥ ＦＯＲＭＡＴ）形式でデータ容量を圧縮して保存されていても良いし、サーバ蓄積手段１３１０が十分に大きな蓄積容量を有するのであれば、非圧縮で保存されていても良い。あるいは、保存形式に関してはアップロードを行う者が選択できるようにしても良い。音声データについても同様であり、ＭＰ３（ＭＰＥＧ
ＡＵＤＩＯ ＬＡＹＥＲ―３）等の圧縮形式で保存を行っても良い。これらのデータは、顧客が自分の端末１３０１からアップロードすることもあるし、あるいはサーバ管理者がサーバコンピュータ１３０３を用いて保存したり、管理者端末１３０５によりアップロードしたりしても良い。アップロードされた写真等データ１３１１は、個々にファイル名が付され、他のファイルと区別可能に保存される。
【０１８５】
アクセス権情報１３１２は、写真等データ１３１１の個々のファイルについてのアクセス権を規定した情報である。個々のファイルについて、アクセス権を設定できる者は誰か、閲覧可能な者は誰か、さらには編集（修正やファイル名の変更）まで行う権限を有する者は誰かを規定している。なお、アクセス権を設定できる者は原則として、ファイルのアップロードを行った者であるので、ファイルのアップロードが行われた際には、ファイルの写真等データ１３１１への書き込みと同時に、そのファイルのアクセス権を設定できる者としてファイルのアップロードを行った者のユーザＩＤがアクセス権情報１３１２に書き込まれる。
【０１８６】
顧客情報１３１３は、本システムのユーザである顧客に関するデータであり、顧客が本システムの使用開始時に入力した情報に加えて、その後に修正や追加した情報も含まれる。例えば、ユーザＩＤ、ログイン・パスワード、電子メールアドレス、名前、年齢、住所、支払方法、クレジットカード情報、家族構成、誕生日といった情報である。これらの情報は入力が必須となる情報と、顧客が任意に入力できる情報がある。例えば、ユーザＩＤ、ログイン・パスワード、電子メールアドレス、名前、年齢、住所、支払方法は必須であり、他の情報は任意の情報である。
【０１８７】
試着用衣類等データ１３１４は、衣類や装飾品等の画像であって、実施の形態１で開示したように、写真を用いたバーチャルな試着を行う際に用いるデータである。試着用衣類等データ１３１４は、サーバ管理者がアップロードする。また、仮想店舗１３０２の運営者が、サーバ管理者の許可を得てアップロードしてもよい。
【０１８８】
顧客認証管理手段１３２０は、顧客認証手段１３２１と認証情報管理手段１３２２とを有している。本システムのログイン時に、ユーザは認証情報を入力する。認証方法はいくつかの方法が可能であり、実施の形態１および実施の形態２において詳細に述べているので、ここでは詳細は述べない。ここでは、ユーザが自分の端末１３０１において、ユーザＩＤとパスワードをキーボード等から入力し、それらのデータをサーバコンピューター１３０３に送信したとする。ユーザからユーザＩＤとパスワードを受け取った顧客認証手段１３２１は顧客情報１３１３を参照し、正しいログイン情報であったかを検証する。受け取ったユーザＩＤとパスワードが、顧客情報１３１３に保存されているユーザＩＤとパスワードに一致すると、顧客認証手段１３２１は、このユーザが既に本システムの使用登録を済ましている顧客であると認識する。そして、顧客認証手段１３２１は、認証情報管理手段１３２２にユーザＩＤを送信する。
【０１８９】
認証情報管理手段１３２２は、このユーザの端末１３０１のネットワーク上のアドレス情報を確認し、そのネットワーク上のアドレス情報とユーザＩＤを対応づけてアクセス権情報１３１２に書き込む。そして、このユーザがログアウトを行った時には、書き込んだネットワーク上のそのユーザの端末１３０１のアドレス情報とユーザＩＤをアクセス権情報１３１２から削除する。
【０１９０】
アクセス権設定手段１３３０は、上述したアクセス権情報の設定を行う。アクセス権を設定できる者は、原則としてアクセス権を設定するファイルをアップロードした者である。アップロードした時と同時にアクセス権の設定を何も行わなければ、ファイルをアップロードした者だけが、そのファイルを閲覧し編集が可能である。アクセス権設定は、ファイルをアップロードする時にもできるし、その後に設定することや変更することも可能である。アクセス権の設定は、設定したいファイル名、アクセス権を受けるユーザ名（あるいはユーザＩＤ）、およびアクセス権の種類（閲覧だけが可能か、あるいは編集も可能か）について指定を行う。アクセス権設定手段１３３０は、これらの指定を受け付ける。
【０１９１】
そして、まずアクセス権情報１３１２を調べ、設定を行っているユーザがアクセス権設定権限を持っているユーザであるかについて次の手順で検証する。まず、アクセス権設定手段１３３０は、このユーザの端末１３０１のネットワーク上のアドレス情報に対応するユーザＩＤをアクセス権情報１３１２から読み出す。さらに、このユーザＩＤに対応する者がどのファイルに対してアクセス権設定権限を有しているかをアクセス権情報１３１２から読み出す。その結果、アクセス権の設定を行うファイルのアクセス権設定権限を確かにこのユーザが有していると判断した時には、その指定内容をアクセス権情報１３１２に記録する。
【０１９２】
顧客情報設定手段１３４０は、ユーザから送られてきたユーザに関する情報を顧客情報１３１３に書き込む。ユーザが本システムを使用するにあたり使用登録を行う際には、必須情報が漏れなく入力されているかについて確認し、未入力の記載があれば、記載を促すアラーム等をユーザに送る。この情報の修正や追加は、ユーザが望めばいつでも可能である。
【０１９３】
日時指定送信手段１３５０は、指定日時設定手段１３５１と送信手段１３５２を備え、写真等データ１３１１に蓄積されているファイルのうち、自分が閲覧できるアクセス権が設定されているファイルに関する情報、あるいはその情報を閲覧できることを、指定する電子メールアドレスに指定日時に自動的に送信する機能を実行するものである。
【０１９４】
具体的な動作について、図２４と図２５を用いて説明する。
まず図２４において、Ｓ２０１とＳ２０２で認証を行い、ログインすると本システムのトップ画面が表示される（Ｓ２０３）。トップ画面において、「日時指定送信の設定」を選択すると、指定日時設定手段１３５１が起動し（Ｓ２０４）、日時指定送信のための設定画面が表示される（Ｓ２０５）。そして、ユーザは送信したい写真や音声を選択する（Ｓ２０６）。指定日時設定手段１３５１は、アクセス権情報を調べ、設定を行っているユーザが閲覧できるアクセス権権限を持っているユーザであるかについて検証する（２０７）。指定日時設定手段１３５１は、このユーザの端末１３０１のネットワーク上のアドレス情報に対応するユーザＩＤをアクセス権情報１３１２から読み出す。さらに、このユーザＩＤに対応する者がどのファイルに対してアクセス権を有しているかを読み出す。選択されたファイルに関し、閲覧可能なアクセス権があるユーザが指定を行っていると判断した場合には、送信日時の指定（Ｓ２０８）と送信相手の電子メールアドレスの指定（Ｓ２０９）を行う。送信相手が当該システムのユーザであれば、単にユーザ名を指定し、顧客情報１３１３に登録されている送信相手の電子メールアドレスに送信するようにしてもよい。そして、これらの情報を送信手段１３５２がアクセスできるメモリに書き込む。一方、閲覧可能なアクセス権があるユーザが指定を行っていないと判断した場合には、再度、送信したい写真や音声を選択させる画面に戻る（Ｓ２０６）。
【０１９５】
なお、ここでは1つのファイルを選択したが、複数のファイルを選択可能にしても良いし、送信相手に関しても複数の者の電子メールアドレスを選択しても良い。
次に図２５を用いて、送信手段１３５２の動作について説明する。
送信手段１３５２は、指定された送信日時と現在の日時を比較し（Ｓ２１１、Ｓ２１２）、条件を満足した場合には、指定された電子メールアドレスに電子メールを送信する（Ｓ２１３）。送信相手が当該システムのユーザであれば、顧客情報１３１３に一番新しく更新登録された電子メールアドレスに送信するようにしてもよい。ここで電子メールには、送信を指定した者の名前や、あるいは送信を指定した者が希望した場合には、メセージを記載する。そして、本システムを用いて指定された写真や指定された音声メッセージの閲覧が可能である旨を電子メールに記載する。また、本システムのＵＲＬとユーザＩＤやパスワードを記載し、ログインすることにより、指定されたファイルを閲覧できる旨を記載する。ファイルが写真である場合には、そのサムネールをファイル添付しても良いし、写真自体を添付しても良い。
【０１９６】
送信手段１３５２は、送信した電子メールが正常に送信されたかを確認する（Ｓ２１４）。そして、正常に送信が行われたことを確認した時には、送信を指定した者に送信が正常に完了したことを電子メール等の指定された連絡方法で知らせる（Ｓ２１５）。一方、電子メールの送信が正常に行われなかった場合には、送信を指定した者に送信が正常に行われなかった旨を連絡し（Ｓ２１６）、送信を指定した者が指定する他の電子メールアドレスに送信する等の措置を行う（Ｓ２１７）。
【０１９７】
日時指定送信手段１３５０に特別な機能としてタイムカプセル機能を付加することも有効である。例えば、指定日時設定手段１３５１がタイムカプセル機能を指定するフラグとともに、送信指定日時とタイムカプセル機能に参加可能なユーザ名、および書込み期限を送信してきた場合には、タイムカプセルに対応するフォルダを写真等データ１３１１に作成する。卒業時にタイムカプセルを作成する場合には、参加可能なユーザとしては、卒業生や先生が適当である。そして、このフォルダにデータを書き込むアクセス権をタイムカプセル機能に参加可能なユーザに与えるように、アクセス権情報１３１２に、上記フォルダに関するアクセス権情報を記録する。このアクセス権は指定された書込み期限まで有効であり、それを過ぎると書き込みが禁止される。上記の操作により、このフォルダには、複数のユーザが自分が閲覧するアクセス権限を持つ写真や音声データを書き込むことが可能となり、それぞれが将来見たいと考える写真や音声メッセージにデータをこのフォルダに書き込む。本物のタイムカプセルに、みんなが思い出の品を入れていくように、思い出が詰まったフォルダが完成する。そして、指定した送信日時になれば、参加可能なユーザに対して、このフォルダが閲覧可能になったというメッセージを記載した電子メールが送信される。なお、タイムカプセルであるため、その中身を閲覧できる時期を上述の書込み期限日等に制限することが望ましい。例えば、このフォルダ内のデータの閲覧に関しては、書込み期限までは全員のデータを閲覧可能とし、それ以降は自分がフォルダにアップロードしたデータのみ閲覧可能としても良いし、最初から他人がフォルダにアップロードしたデータは閲覧できないものとしてもよい。
【０１９８】
試着手段１３６０は、顧客試着手段１３６１と修正依頼手段１３６２等からなる。顧客試着手段１３６１は、顧客が編集可能な写真に試着用衣類等データ１３１４から選択した衣類やアクセサリー等を試着させる機能である。試着を行う写真について、顧客が編集できるアクセス権限を有するか否かの判断をまず行う。アクセス権限の有無の判断は、上述した指定日時設定手段１３５１における判断と同様の動作であるので、ここでは説明を省略する。試着を行う写真について、顧客が編集可能なアクセス権限を持つ写真と判断された場合、顧客は試着用衣類等データ１３１４から試着したい衣類やアクセサリー等を選択し試着させることができる。試着用衣類等データ１３１４は、いろいろな行事の対応するようにカテゴリー分けされ、ユーザが希望する衣類等を効率よく見つけることができるようになっている。例えば、七五三のカテゴリーからは、子供用の和服や髪飾りを選ぶことができる。また、卒業式のカテゴリーはさらに細分化され、幼稚園卒園から大学卒業までの小カテゴリーがあり、それぞれのカテゴリーに適切な衣類等を選択できる。なお、試着に関する詳細については、実施の形態１で述べたので、ここでは説明を省略する。試着を完了した写真は、写真等データにアップロードし保存できるし、自分のコンピュータにも保存できる。
【０１９９】
また、試着用衣類等データ１３１４には、サーバ管理者の許可を得た仮想店舗１３０２が提供する衣類等の写真を含めても良い。その場合には、実施の形態１や実施の形態２で述べたような注文機能を付加しても良い。
【０２００】
上記の試着を完了した写真をさらに綺麗な写真にしたい場合には、修正依頼手段１３６２により、修正をサーバ管理者に依頼できる。ユーザの希望に応じて、サーバ管理者は試着を完了した写真の修正を行う。衣類等を被写体の体型にフィットするように修正したり、ユーザが希望する行事に合った背景にしたり、あるいは表情の修正を行う。修正した写真は、ユーザの希望に応じて、電子ファイルやプリント写真として提供する。あるいは、複数の写真の場合には、装丁したアルバムとして提供する。
【０２０１】
アルバム作成手段１３７０を用いて、ユーザはアルバムを作成できる。例えば、閲覧するアクセス権限を有する複数の写真を選択し、その配列を送信すれば、簡単に電子アルバムが作成できる。配列は、自由に配列しても良いし、本システムが配列例をいくつか用意しており、それを利用しても良い。また、アルバムのタイトルや表紙も選択できる。また、文字メッセージや音声メッセージも付加することが可能である。作成したアルバムは電子ファイルとして、写真等データ１３１１に保存できるし、自己のコンピューター等に保存しても良い。また、日時指定送信手段１３５０により、日時を指定した自動送信を行うこともできる。
【０２０２】
サーバ管理者は、顧客情報１３１３を参照して、広告送信手段１３８０により、タイムリーな広告をユーザに送信することができる。例えば、ユーザの誕生日に関する情報から、成人式が近いと判断した場合には、成人式の記念写真の撮影を促す広告を本システム上で、あるいは電子メール等で送信することができる。さらに、ユーザの写真で、サーバ管理者が編集可能なアクセス権を有する写真があれば、それに成人式向けの振袖を試着させた試着写真を電子メールで添付することも可能である。
【０２０３】
なお、ユーザ登録時等に、広告の送信についてはユーザの許可を得るようにし、許可したユーザにのみ広告を送信するようにする。また、顧客情報についても広告を送信する際に利用する許可を事前に確認しておくようにする。
【０２０４】
また、顧客情報をデータベース化し、ユーザが利用可能な顧客情報については、データベース手段１３９０により、ユーザが検索できるようにする。例えば、中学卒業時に、このシステムを用いて卒業アルバムを作成した場合を考えてみる。閲覧可能な者は、卒業生や先生である。また、生徒の家族も閲覧可能としても良い。閲覧可能者の情報を本システムの顧客情報に入力する。毎年、本システムを用いて卒業アルバムを作成すれば、この学校の卒業生のデータベースが出来上がる。卒業生や先生は、このシステムを用いて、転居した時には、住所等の連絡先を修正することができる。そして、データベース手段１３９０により、様々な検索、抽出を行い、同窓会や各種行事の案内を送信したりすることに役立てることができる。
【０２０５】
アップロード手段１４００は、ユーザやサーバ管理者が写真や音声ファイルをアップロードするのに用いる。アップロードするデータは、ファイル名が付され写真等データ１３１１に保存される。そして、前述したように、そのファイルに関するアクセス権設定権限がアクセス権情報１３１１に書き込まれる。
【０２０６】
ダウンロード手段１４１０により、写真等データ１３１１に蓄積されているデータをファイルごとに、ユーザの端末１３０１にダウンロードできる。ダウンロードする際には、前述と同様に、アクセス権がチェックされ、ダウンロードを要求したユーザが編集権限を有する場合には、編集可能なファイル形式でダウンロード可能となる。一方、アクセス権限がないファイルが選択された場合には、その旨のメッセージをユーザに送信する。
【０２０７】
＜本システム活用例＞
次に、本システムの活用例について説明する。
図２６は、本システムを用いる可能性がある人生の節目となる行事を中央に示している。誕生から晩年にいたる様々なステージにおいて本システムが活用される。また、その活用のされ方も多様である。例えば、幼稚園入学時には、幼稚園の制服を着た子供の撮影を本システムのサーバ管理者である写真関係事業者のスタジオで撮影し、電子アルバムを本システムにアップロードしてもらう。それにより、遠く離れた場所に住む祖母や祖父にも本システムにより、子供の成長を見てもらうことが可能となる。また、子供の声を音声ファイルとしてアップロードしておくことで、子供の声を祖父母に聞いてもらう。遠く離れたところに住むおじいちゃんやおばあちゃんへ子供からのメッセージを送ることができる。
【０２０８】
また、親から子供への思いを音声メッセージとすることもできる。そして、日時指定送信手段１３５０により、子供の成人式に自動送信するようにしておけば、幼稚園入学当時の親から子への気持ちや愛情を子供が大きくなってから伝えることができる。
さらに、撮影については、スタジオで行わずに親が自身で行い、このシステムにアップロードし、電子アルバムを作成するという選択もできる。そして、電子アルバムのプリントアウトやアルバム装丁のみを写真関係事業者に依頼することで、アルバム作成費用を押さえることも可能となる。
【０２０９】
また、学校卒業時には、公式なアルバムだけではなく、クラスの有志が集まって、タイムカプセルを作成する。しかし、将来学校が移転や廃校により、あるいは工事などで掘り起こされることでタイムカプセルを滅失することがある。また、長い年月の経過により、カプセルの存在自体を忘れてしまうこともある。これらのことを防ぐために、すなわち、大切な思い出の紛失や忘却を防ぐために、本システムを用いた電子ファイルのタイムカプセルを作成する。将来、タイムカプセルを開封する日時を決めておき、後日指定日時が来たらシステムが起動し、閲覧することが出来る。このタイムカプセルには、写真だけではなく、将来の夢を音声ファイルとして入れることもできるし、作文を文字ファイルとして入れておくこともできる。
【０２１０】
このように、このシステムにより学生時代の卒業の寄書、卒業アルバム、タイムカプセルのデジタル化使用、サ−クル、友人同士の画像アルバムの音声メッセ−ジ、結婚式のメモリアルアルバム、そして子供が生まれたら記念写真、個人の画像のサーバ保存、人生の画像を全て保管し、晩年の家族、孫との画像を含めたアルバムを作成し、音声メッセ−ジを添付し家族に残したり、葬式に人生の画像を飾ったりして生前にお世話になった人たちに感謝の意を伝えたりすることができる。
また、面と向かって気持ちを伝えるには恥かしい場合、恩師、友人に音声メッセ−ジを添付し（日時指定設定をしておく）画像アルバムを渡しておく、後日指定日時が来たら、システムが起動し、恩師や友人に対する思いや感謝の言葉のメッセ−ジを伝えることができる。
【０２１１】
さらに、結婚式の画像でアルバムを作成し今の気持ちを音声メッセ−ジとして残し、将来聞き返したり、毎年の結婚記念日には記念写真を撮り、配偶者への気持ちを音声メッセ−ジに残したりする。そして、時間指定送信機能を活用して金婚式などの記念日に相手に伝えるといった使い方も可能である。
人生に渡る記念写真や個人のプライベート写真を一括管理できる。また、見たいときには、ネットに接続したパソコンがあれば、旅先からでも見ることができるし、旅先で撮った写真をアップロードし、家族や友人にリアルタイムで見てもらうことも可能である。
【０２１２】
また、試着機能を使うことで、友人の画像を友人に内緒で加工し、例えば卒業式用の羽織袴を着せ、その写真に音声メッセ−ジや音楽を添付し送信する。友人の卒業式に閲覧可能に設定し友人を驚かし、喜ばすことができる。
なお、本システムにおいては、閲覧している写真が加工可能であるか否かを図２７のようにしてユーザに知らせることも有効である。写真の右上に白い画鋲がある場合には編集可能であり、画鋲の色が赤い場合には修正が行われたことを示しており、さらに画鋲にメモが留められているときには、そのメモをクリックすると編集を行った者の音声のメッセージが流れる、といった具合である。
【０２１３】
友人の画像に服などのコーディネ−トをすることもできる。友人の画像に服を試着させコーディネ−トしたり、好みのブランドの新作の服を試着させた画像を友人に送ったりして、友人本人も気づかないコーディネートを新しく知らせることができる。反対に画像の本人が本システム上の友人にコーディネートを依頼することもできる。
【０２１４】
本システムの基本となるアイテムである写真は、図２６に示す人生の重要な一コマ一コマを鮮烈に記録する。特に長年を経て見ることで、その当時を振り返り懐かしむことができる。例えば、子供や友達の人生の節目々々に撮影した写真を、長い年月を経て生じる異なる人生の節目の日時に、彼らに送信を行うことにより、送信を行った相手に強い印象を与え、送り主の暖かい気持ちを伝えることが可能である。
【０２１５】
このように写真は、人生におけるロングレンジの時空を超えて、人々に感動を与えるという他にはない特別な稀有な特性を有している。したがって、日時を指定して特定の相手に送信を可能とするシステムは、多くの人が欲するシステムであるといえる。
日時を指定した送信に関しては、簡易的にはユーザがユーザ自身の端末から日時指定送信機能を有するアプリケーションを用いて、独自に設定を行うことは不可能ではない。ただし、その場合には、日時指定は長くとも１年程度の指定しかできないであろう。コンピューター機器やソフトウエアのライフサイクルが短くなっている昨今においては、ユーザが長期的に端末やアプリケーションを使い続けるという状況は考えづらいためである。また、送信指定した写真やデータを長期的に保管することも決して簡単なことではない。システムをビジネスとして管理するのであれば、システムを長期間に渡って維持していくことは難しいことではないが、個人としてシステムを長期的に維持することは現実的には極めて困難である。
一方で、写真に関する自動送信に関しては、これまで説明してきたように、人の生涯という極めて長い期間を隔てた未来への送信を行う多様な目的が存在する。もし、そのような遥かな未来への自動送信を可能にするシステムが手軽に利用できるならば、そのシステムの需要は大きなものとなることが予想される。さらに、現在から数日後といった近未来への送信だけではなく、１０年後、あるいは２０年後といった遥かな未来への送信指定を可能とするシステムであれば、ユーザがシステムを長期間に渡って使用し続けることも予想される。すなわち、写真関係事業者の立場から述べれば、本システムのユーザである顧客がこのシステムを永く使用し続け、それにより、ライフロングな顧客とのつながりを維持できるという、商業上の大きなメリットを生じる。
また、自動送信機能は、送信相手に電子メールを送信し、本システムにおいて写真や音声データが閲覧できるようになったことを知らせるが、写真等の閲覧（あるいは音声メッセージの視聴等）については、本システムを使って行わせるようにすれば、本システムのユーザが増加し、新たな顧客の開拓にもつながる。なお、写真等の閲覧に関して本システムを使って行わせるようにするためには、電子メールに本システムのＵＲＬやログインＩＤ、パスワードを電子メール本文に記載等すればよい。
また、送信相手が既に本システムのユーザである場合には、顧客情報から送信相手の最新の電子メールアドレスが分かるため、長い期間を経てもより高い可能性で相手に知らせることが可能である。
【０２１６】
また、日時指定送信機能により閲覧可能となった写真等は、本システムをダウンロードして閲覧するため、新たな本システムの利用者を増加させるという、顧客開拓のメリットも写真関係事業者に生じる。
さらに、写真等データのアクセス権を自分だけではなく、家族や親せき、あるいは友人や同級生にまで広げるようにアクセス権の指定を可能とすることにより、友達等が管理する様々な写真等を組み合わせて、指定日時送信することで、さらに大きな感動を相手に与えたり、楽しませたりすることができるのも本システムの大きな特徴である。
【０２１７】
従来の写真関係事業者が行う記念撮影等のビジネスモデルは、顧客が店舗に出向き、イベントに合わせた衣装を持ち込み、あるいは店舗の貸衣装に着替え、プロのカメラマンにより撮影をしてもらう。そして、その画像で記念アルバムを作成し顧客に販売する流れであり、長い間変わることのないシステムであった。しかし、顧客が店舗に来なければ撮影はできないし、さらに衣装に着替えることも面倒なことである。特に、子供の着替えは大変であり、子供が小さいほど労力が大きいし、子供が長時間の撮影に耐えなくてはならない。その上、撮影費用が高いことから、一度や二度は撮影をするが次第に足が遠のき、あるいは、最初から店舗で撮影を望まない顧客も増えてきている。
そこで、本システムの試着機能を用いた記念撮影を行うことで、実際に記念写真を撮影するのに比較して、費用的に廉価で作成できると同時に、スタジオに出向く手間がはぶけ、時間的にも短時間で作成可能である。また子供が大きくなると、撮影に行くことを面倒がることも問題としてあるが、本システム使用でこれらの問題も解消する。本システムを使用する事により、写真関係事業者が顧客の画像から作成したイベントの試着画像を用いてアルバムを作成する選択肢や、顧客が画像に試着を施し、写真関係事業者にアルバム作成を依頼したり、顧客が画像に試着を施しアルバムも顧客自らが作成したり、さらに、従来のように、写真関係事業者に撮影からアルバム作成までを委ねたりと、顧客の選択肢が大幅に増加する。この選択肢の増加により、記念写真を撮る年齢層を広げ、新たな需要を掘り起こすことができると同時に、若年層までであった写真関係事業者との付き合いをより長いものとし、顧客の囲い込み効果を生じさせる。
【０２１８】
さらに、一枚の写真ではなく、アルバムというまとまったものを本システムが預かり、そして閲覧することが可能になった旨を日時指定送信機能により相手に知らせることで、さらに相手に強い印象を与えることができる。このように、アルバム機能により、顧客が自分でオリジナルアルバムを作成することが可能となり、本システムを使い続けるさらに強い動機が生じる。
【０２１９】
以上のように、本システムには、ユーザが人生に渡って、さらには世代を超えて使い続けるための様々な工夫が施されているので、ユーザの要望を満足させると同時に、写真関係事業者にとっては、顧客とのつながりを一過性のもので終わらせることなく、取引の長期化、顧客の囲い込み、親族や友人への顧客の拡大、および高年齢での記念写真撮影を促すといった、市場の拡大効果等、極めて多くのビジネス上の効果がある。
【０２２０】
図２８は、顧客情報とその活用を説明する図である。
上述したように、ユーザは本システムを長期にわたって使い続けるため、ユーザに関する多くの情報が蓄積する。そして、顧客情報の更新も行われるため、最新の顧客情報を持つ事ができる。例えば、ユーザと親族や友人の関係、またユーザの属する地域や職業といった社会カテゴリーに関する情報も蓄積する。この情報を利用し、タイムリーな広告を送信することも可能となる。例えば、ユーザの子供の年齢が分れば、子供の行事に時期を合わせて、撮影を促す広告を打つことが可能である。
【０２２１】
図２９はこの一例を示している。
子供が七五三の年齢になると、事前に記念写真のスタジオ撮影を促す電子メールを親に送信する。文章だけではなく、子供の写真を加工し和服を着せ、髪を結った写真を電子メールに添付する。これにより、本物の記念写真を残したいという気持ちを親に持たせることができる。スタジオでの記念撮影の依頼が来る可能性が増すし、たとえスタジオでの記念撮影が無理であっても、ユーザ自身が撮影し、その写真を使ったアルバムの作成依頼が来たり、あるいは、親自身が本システムの試着機能を用いたり、さらにはその試着画像にアルバム機能を用いて電子アルバムを作成したりすることで、アプリケーション使用料を得ることもできる。
【０２２２】
図３０は別の一例である。
婚約が決まった友人の写真を本システムの試着機能を用いて加工し、ウエディングドレスを着せた写真をユーザが作成する。そして、この写真をお祝いの電子メールに添付して友人に送信する。また、ユーザは本システムのサーバ管理者に婚約が決まったユーザの友人を紹介する。紹介により、ユーザにはスタジオ撮影半額のクーポンが得られる等のメリットを得られるようにしておく。そして、サーバ管理者である写真関係事業者は、友人に対して、ウエディングアルバム作成の広告を打つことができる。
このようにして、顧客情報を拡大し、その情報からタイムリーな広告を打つことが可能となる。
【０２２３】
図３１は、本システムを用いて高校の卒業アルバムを作成した場合について説明している。
幼稚園、小学校、中学校、高校、大学、専門学校など国内だけでも毎年少なくとも４００万人以上が卒業している。卒業時に必ず撮るのが卒業アルバムである。本システムが有する時間指定送信機能、音声、音楽および作文等の文字ファイル添付機能、さらにはデータベース機能やタイムカプセル機能により、他社との差別化がはかれ、毎年の卒業生のデ−タの蓄積により将来の記念撮影などの、顧客集客に結び付ける事ができる。
【０２２４】
卒業アルバムの電子化に伴いユーザＩＤ，パスワ−ドにてログイン管理し、生徒全員の個人情報が入力される。入力情報をもとに、地域、性別、年齢などの分類に分け、一人一人に効果的な広告を発信できる。
また、電子化に伴い、生徒個人がログインし、気軽に住所、電話等の個人情報などの更新をする。この事により、最新の情報を手に入れる手段としても使えるため、本システムへの企業の広告が増え、広告収入の増加も見込める。本システムを用いたクラス会などの連絡、管理にも活用でき、記念写真などの販売促進にも活用できる。
【０２２５】
以上、述べたように、顧客が本システムを永く使い続けることで、顧客に関する情報が蓄積し、その情報に基づいて、顧客に近々に訪れるであろう人生の節目となる行事を予想することができる。そして、顧客が望むであろう的確な広告を打つことが可能となる。
具体的には、顧客ユーザの性別、年齢、学生、職業、結婚適齢期、マイホ−ム購入など年齢に合わせた広告を送信することが出来るため、各種企業の広告を掲載することもでき、広告料も期待できる
【０２２６】
さらに、顧客の子供の画像を使用し、例えば七五三の時期に七五三の衣装を数点、試着させ顧客に送信し撮影を促したり、撮影をせず好みの画像を選択させ写真関係事業者がアプリケ−ションを使用し七五三写真の画像アルバムを作成したり、顧客自ら画像処理しアルバムを作成する。このように、顧客の注目を引き、記念写真を是非とも作りたいという気持ちにさせることで、販売促進につながる。
【０２２７】
また、本システムが有する時間指定送信機能、音声、音楽および作文等の文字ファイル添付機能、さらにはデータベース機能やタイムカプセル機能は、卒業アルバムやタイムカプセルの作成依頼を増加させる効果がある。
例えば、卒業アルバムの個人の写真に１人１人のメッセ−ジを録音添付したり作文などの個人の作品も添付したりできる。校長を始め各先生のメッセ−ジ、校歌などを添付したデジタルアルバムを作成できる。校長を始め各先生のメッセ−ジについては、すぐには視聴できず、例えば、数年後に生徒が視聴できるようにすれば、一味違った卒業アルバムになる。
【０２２８】
そして、データベース機能を活用することで、同窓会、クラス会の幹事は本システムにより、同窓会、クラス会のお知らせや出席、欠席の管理が出来る。クラブ活動、サ−クル、学生名簿、各種集まりなど名簿管理などにも利用できる。
また、たくさんの生徒の情報を得られるため、レストラン、ホテル、旅行会社などの企業が広告を掲載する等、クラス会、同窓会等の各種会合に合わせた広告を企業が掲載できたり、卒業生の年齢等に合わせた広告等を永続的に企業が掲載できたりする、といった多くの効果が本システムから得られる。
【産業上の利用可能性】
【０２２９】
以上のように、本発明に係る商品試着システム、商品試着方法、プログラム、記憶媒体は、上述した携帯端末装置とサーバコンピュータとが接続されたシステムはもちろん、通信販売専用のシステム等に有用であり、ユーザの試着イメージを損なうことなく、様々な店の商品を簡単に試着シミュレーションすることが可能な商品試着システム、商品試着方法、プログラム、記憶媒体として有効である。
また、本発明はソーシャルネットワークに適用できる。
さらに、本発明は写真を中心に知人とのコミュニケーションを活発化させるネットワークを利用したシステムに適用できる。
【符号の説明】
【０２３０】
１  商品試着システム
２  携帯端末装置
３  サーバコンピュータ
４  ネットワーク
５  表示受付部
６  画像撮影部
７  音声入出力部
２０１  表示受付手段
２０２  ユーザ情報管理手段
２０３  身体画像受付手段
２０４  画像撮影手段
２０５  店選択受付手段
２０６  店商品記憶手段
２０７  商品選択受付手段
２０８  商品試着手段
２０９  画像公開手段
２１０  商品購入決済手段
２１１  身体画像記憶手段
１２０１      端末
１２０２      仮想店舗
１２０３      サーバ
１２０４      通信網
１２１１      表示手段
１２１２      ダウンロード手段
１２１３      アップロード手段
１２１４      画像加工編集手段
１２１５      文字データ生成編集手段
１２１６      音声データ生成編集手段
１２１７      メモリ
１２３１      送受信制御部
１２３２      画像変更拒否判定部
１２３３      ユーザデータ保持部
１２３４      店舗データ保持部
Ｍ      システム
１３０１      端末
１３０２      仮想店舗
１３０３      サーバ
１３０４      通信網
１３０５      サーバ管理者端末
１３１０      サーバ蓄積手段
１３１１      写真等データ
１３１２      アクセス権情報
１３１３      顧客情報
１３１４      試着用衣類等データ
１３２０      顧客認証管理手段
１３２１      顧客認証手段
１３２２      認証情報管理手段
１３３０      アクセス権設定手段
１３４０      顧客情報設定手段
１３５０      日時指定送信手段
１３５１      指定日時設定手段
１３５２      送信手段
１３６０      試着手段
１３６１      顧客試着手段
１３６２      修正依頼手段
１３７０      アルバム作成手段
１３８０      広告送信手段
１３９０      データベース手段
１４００      アップロード手段
１４１０      ダウンロード手段
【図１】
2013050943.tif 000003
【図２】
2013050943.tif 000004
【図３】
2013050943.tif 000005
【図４】
2013050943.tif 000006
【図５】
2013050943.tif 000007
【図６】
2013050943.tif 000008
【図７】
2013050943.tif 000009
【図８】
2013050943.tif 000010
【図９】
2013050943.tif 000011
【図１０】
2013050943.tif 000012
【図１１】
2013050943.tif 000013
【図１２】
2013050943.tif 000014
【図１３】
2013050943.tif 000015
【図１４】
2013050943.tif 000016
【図１５】
2013050943.tif 000017
【図１６】
2013050943.tif 000018
【図１７】
2013050943.tif 000019
【図１８】
2013050943.tif 000020
【図１９】
2013050943.tif 000021
【図２０】
2013050943.tif 000022
【図２１】
2013050943.tif 000023
【図２２】
2013050943.tif 000024
【図２３】
2013050943.tif 000025
【図２４】
2013050943.tif 000026
【図２５】
2013050943.tif 000027
【図２６】
2013050943.tif 000028
【図２７】
2013050943.tif 000029
【図２８】
2013050943.tif 000030
【図２９】
2013050943.tif 000031
【図３０】
2013050943.tif 000032
【図３１】
2013050943.tif 000033